(57)【要約】【課題】クロノグラフ時計のムーブメント中心にも、ムーブメント中心以外の位置にもクロノグラフ秒針を配置することができる時計を提供する。【解決手段】アナログクロノグラフ時計において、地板１０２および受部材１０６、１０７、１０８は、「センタークロノグラフ時計」用のロータ及び輪列の軸受部と、「サイドクロノグラフ時計」用のロータ及び輪列の軸受部とを備える。「サイドクロノグラフ時計」用のロータおよび輪列は、地板及び受部材の軸受部に対して回転可能に組まれる。地板中心３００を回転中心として回転する時刻表示部材２３０、２３２、２３４により、時刻情報を表示し、地板中心３００と地板１０２の外形部との間の位置を回転中心として回転するクロノグラフ表示部材２５５、２５９、２７５により、クロノグラフの計測結果を表示する。【選択図】　　　図１
2004020421.tif 000002
【特許請求の範囲】
【請求項１】
ムーブメント（１００）の基板を構成する地板（１０２）と、ムーブメント（１００）を構成する部品を支持するための受部材（１０６、１０７、１０８）と、時刻情報を表示するために前記地板（１０２）の地板中心（３００）を回転中心として回転する時刻情報表示車（２２４、２２８）と、前記時刻情報の表示を修正するための巻真（１１０）と、前記巻真（１１０）の位置を切り換えるための切換装置と、時刻情報を表示するための文字板（１０４）とを有するアナログクロノグラフ時計であって、
前記地板（１０２）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記受部材（１０６、１０７、１０８）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
「サイドクロノグラフ時計」を製造するときに用いられる前記ロータおよび前記輪列は、前記地板（１０２）の前記軸受部と、前記受部材（１０６、１０７、１０８）の前記軸受部とに対して回転可能なように組み込まれており、
前記地板中心（３００）を回転中心として回転する時刻表示部材（２３０、２３２、２３４）により、時刻情報を表示するように構成されており、
前記地板中心（３００）と前記地板（１０２）の外形部との間の位置を回転中心として回転するクロノグラフ表示部材（２５５、２５９、２７５）により、クロノグラフの計測結果を表示するように構成されている、
ことを特徴とするアナログクロノグラフ時計。
【請求項２】
ムーブメント（４００）の基板を構成する地板（１０２）と、ムーブメント（４００）を構成する部品を支持するための受部材（１０６、１０７、１０８）と、時刻情報を表示するために前記地板（１０２）の地板中心（３００）を回転中心として回転する時刻情報表示車（４２４、２２８）と、前記時刻情報の表示を修正するための巻真（１１０）と、前記巻真（１１０）の位置を切り換えるための切換装置と、時刻情報を表示するための文字板（１０４）とを有するアナログクロノグラフ時計であって、
前記地板（１０２）は、ムーブメント（４００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記受部材（１０６、１０７、１０８）は、ムーブメント（４００）を用いて「センタークロノグラフ時計」を製造するときに用いられるロータおよび輪列の軸受部と、ムーブメント（４００）を用いて「サイドクロノグラフ時計」を製造するときに用いられるロータおよび輪列の軸受部とを備えており、
「センタークロノグラフ時計」を製造するときに用いられる前記ロータおよび前記輪列は、前記地板（１０２）の前記軸受部と、前記受部材（１０６、１０７、１０８）の前記軸受部とに対して回転可能なように組み込まれており、
前記地板中心（３００）を回転中心として回転する時刻表示部材（２３０、２３２）と、前記地板中心（３００）と前記地板（１０２）の外形部との間の位置を回転中心として回転する他の時刻表示部材（４３８）とにより、時刻情報を表示するように構成されており、
前記地板中心（３００）を回転中心として回転するクロノグラフ表示部材（４７５）と、前記地板中心（３００）と前記地板（１０２）の外形部との間の位置を回転中心として回転する他のクロノグラフ表示部材（４５５、４５９）とにより、クロノグラフの計測結果を表示するように構成されている、
ことを特徴とするアナログクロノグラフ時計。
【請求項３】
ムーブメント（１００）の基板を構成する地板（１０２）と、ムーブメント（１００）を構成する部品を支持するための受部材（１０６、１０７、１０８）と、時刻情報を表示するために前記地板（１０２）の地板中心（３００）を回転中心として回転する時刻情報表示車（２２４、２２８）と、前記時刻情報の表示を修正するための巻真（１１０）と、前記巻真（１１０）の位置を切り換えるための切換装置と、時刻情報を表示するための文字板（１０４）とを有するアナログクロノグラフ時計であって、
前記地板（１０２）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記受部材（１０６、１０７、１０８）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記地板（１０２）に、前記地板中心（３００）を通り、前記巻真（１１０）の中心軸線と平行な地板基準垂直軸線（３０２）と、前記地板中心（３００）を通り地板基準垂直軸線（３０２）と垂直な地板基準水平軸線（３０４）を定義し、
さらに、前記地板（１０２）には、地板基準垂直軸線（３０２）の一方の側に位置しかつ地板基準水平軸線（３０４）より前記巻真（１１０）に近い方の側に第１領域（３１０）が設けられ、前記地板（１０２）には、地板基準垂直軸線（３０２）の他方の側に位置しかつ地板基準水平軸線（３０４）より前記巻真（１１０）に近い方の側に第２領域（３２０）が設けられ、前記地板（１０２）には、地板基準垂直軸線（３０２）の上記第２領域（３２０）のある上記他方の側に位置しかつ地板基準水平軸線（３０４）より前記巻真（１１０）から遠い方の側に第３領域（３３０）が設けられ、前記地板（１０２）には、地板基準垂直軸線（３０２）の上記第１領域のある上記一方の側に位置しかつ地板基準水平軸線（３０４）より前記巻真（１１０）から遠い方の側に第４領域（３４０）が設けられており、
時刻情報を表示するためのモータおよび輪列を作動させるために設けられたサイド用時刻コイルブロック（２４２）のコイルブロック中心（２４２ｃ）は、第３領域（３３０）に配置され、
クロノグラフの計測結果を表示するためのモータおよび輪列を作動させるために設けられた第１のクロノコイルブロック（２６２）のコイルブロック中心（２６２ｃ）は、第３領域（３３０）に配置され、
クロノグラフの他の計測結果を表示するためのモータおよび輪列を作動させるために設けられた第２のコイルブロック（２８２）のコイルブロック中心（２８２ｃ）は、第４領域（３４０）に配置され、
前記第１のクロノコイルブロック（２６２）のコイルブロック中心（２６２ｃ）は、第３領域（３３０）において、前記サイド用時刻コイルブロック（２４２）のコイルブロック中心（２４２ｃ）より外側に配置される、
ことを特徴とするアナログクロノグラフ時計。
【請求項４】
ムーブメント（１００）の基板を構成する地板（１０２）と、ムーブメント（１００）を構成する部品を支持するための受部材（１０６、１０７、１０８）と、時刻情報を表示するために前記地板（１０２）の地板中心（３００）を回転中心として回転する時刻情報表示車（２２４、２２８）と、前記時刻情報の表示を修正するための巻真（１１０）と、前記巻真（１１０）の位置を切り換えるための切換装置と、時刻情報を表示するための文字板（１０４）とを有するアナログクロノグラフ時計であって、
前記地板（１０２）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記受部材（１０６、１０７、１０８）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記地板（１０２）に、前記地板中心（３００）を通り、前記巻真（１１０）の中心軸線と平行な地板基準垂直軸線（３０２）と、前記地板中心（３００）を通り地板基準垂直軸線（３０２）と垂直な地板基準水平軸線（３０４）を定義し、
さらに、前記地板（１０２）には、地板基準垂直軸線（３０２）の一方の側に位置しかつ地板基準水平軸線（３０４）より前記巻真（１１０）に近い方の側に第１領域（３１０）が設けられ、前記地板（１０２）には、地板基準垂直軸線（３０２）の他方の側に位置しかつ地板基準水平軸線（３０４）より前記巻真（１１０）に近い方の側に第２領域（３２０）が設けられ、前記地板（１０２）には、地板基準垂直軸線（３０２）の上記第２領域（３２０）のある上記他方の側に位置しかつ地板基準水平軸線（３０４）より前記巻真（１１０）から遠い方の側に第３領域（３３０）が設けられ、前記地板（１０２）には、地板基準垂直軸線（３０２）の上記第１領域のある上記一方の側に位置しかつ地板基準水平軸線（３０４）より前記巻真（１１０）から遠い方の側に第４領域（３４０）が設けられており、
時刻情報を表示するための輪列を作動させるために設けられた時刻用ロータ（２４６）の回転中心は、第３領域（３３０）に配置され、
クロノグラフの計測結果を表示するための第１の輪列を作動させるために設けられた第１のクロノグラフロータ（２６６）の回転中心は、第３領域（３３０）に配置され、
クロノグラフの他の計測結果を表示するための第２の輪列を作動させるために設けられた第２のクロノグラフロータ（２８６）の回転中心は、第４領域（３４０）に配置され、
前記第１のクロノグラフロータ（２６６）の回転中心は、第３領域（３３０）において、前記時刻用ロータ（２４６）の回転中心より外側に配置される、
ことを特徴とするアナログクロノグラフ時計。
【請求項５】
ムーブメント（４００）の基板を構成する地板（１０２）と、ムーブメント（４００）を構成する部品を支持するための受部材（１０６、１０７、１０８）と、時刻情報を表示するために前記地板（１０２）の地板中心（３００）を回転中心として回転する時刻情報表示車（４２４、２２８）と、前記時刻情報の表示を修正するための巻真（１１０）と、前記巻真（１１０）の位置を切り換えるための切換装置と、時刻情報を表示するための文字板（１０４）とを有するアナログクロノグラフ時計であって、
前記地板（１０２）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記受部材（１０６、１０７、１０８）は、ムーブメント（１００）を用いて「センタークロノグラフ時計」を製造するときに用いられるロータおよび輪列の軸受部と、ムーブメント（１００）を用いて「サイドクロノグラフ時計」を製造するときに用いられるロータおよび輪列の軸受部とを備えており、
前記地板（１０２）に、前記地板中心（３００）を通り、前記巻真（１１０）の中心軸線と平行な地板基準垂直軸線（３０２）と、前記地板中心（３００）を通り地板基準垂直軸線（３０２）と垂直な地板基準水平軸線（３０４）を定義し、
さらに、前記地板（１０２）には、地板基準垂直軸線（３０２）の一方の側に位置しかつ地板基準水平軸線（３０４）より前記巻真（１１０）に近い方の側に第１領域（３１０）が設けられ、前記地板（１０２）には、地板基準垂直軸線（３０２）の他方の側に位置しかつ地板基準水平軸線（３０４）より前記巻真（１１０）に近い方の側に第２領域（３２０）が設けられ、前記地板（１０２）には、地板基準垂直軸線（３０２）の上記第２領域（３２０）のある上記他方の側に位置しかつ地板基準水平軸線（３０４）より前記巻真（１１０）から遠い方の側に第３領域（３３０）が設けられ、前記地板（１０２）には、地板基準垂直軸線（３０２）の上記第１領域のある上記一方の側に位置しかつ地板基準水平軸線（３０４）より前記巻真（１１０）から遠い方の側に第４領域（３４０）が設けられており、
時刻情報を表示するためのモータおよび輪列を作動させるために設けられたセンター用時刻コイルブロック（４８２）のコイルブロック中心（４８２ｃ）は、第４領域（３４０）に配置され、
クロノグラフの計測結果を表示するためのモータおよび輪列を作動させるために設けられた第１のクロノコイルブロック（４６２）のコイルブロック中心（４６２ｃ）は、第３領域（３３０）に配置され、
クロノグラフの他の計測結果を表示するためのモータおよび輪列を作動させるために設けられた第２のコイルブロック（４４２）のコイルブロック中心（４４２ｃ）は、第３領域（３３０）に配置され、
前記第１のクロノコイルブロック（４６２）のコイルブロック中心（４６２ｃ）は、第３領域（３３０）において、前記第２のコイルブロック（４４２）のコイルブロック中心（４４２ｃ）より外側に配置される、
ことを特徴とするアナログクロノグラフ時計。
【請求項６】
ムーブメント（４００）の基板を構成する地板（１０２）と、ムーブメント（４００）を構成する部品を支持するための受部材（１０６、１０７、１０８）と、時刻情報を表示するために前記地板（１０２）の地板中心（３００）を回転中心として回転する時刻情報表示車（２２４、２２８）と、前記時刻情報の表示を修正するための巻真（１１０）と、前記巻真（１１０）の位置を切り換えるための切換装置と、時刻情報を表示するための文字板（１０４）とを有するアナログクロノグラフ時計であって、
前記地板（１０２）は、ムーブメント（４００）を用いて「センタークロノグラフ時計」を製造するときに用いられるロータおよび輪列の軸受部と、ムーブメント（４００）を用いて「サイドクロノグラフ時計」を製造するときに用いられるロータおよび輪列の軸受部とを備えており、
前記受部材（１０６、１０７、１０８）は、ムーブメント（４００）を用いて「センタークロノグラフ時計」を製造するときに用いられるロータおよび輪列の軸受部と、ムーブメント（４００）を用いて「サイドクロノグラフ時計」を製造するときに用いられるロータおよび輪列の軸受部とを備えており、
前記地板（１０２）に、前記地板中心（３００）を通り、前記巻真（１１０）の中心軸線と平行な地板基準垂直軸線（３０２）と、前記地板中心（３００）を通り地板基準垂直軸線（３０２）と垂直な地板基準水平軸線（３０４）を定義し、
さらに、前記地板（１０２）には、地板基準垂直軸線（３０２）の一方の側に位置しかつ地板基準水平軸線（３０４）より前記巻真（１１０）に近い方の側に第１領域（３１０）が設けられ、前記地板（１０２）には、地板基準垂直軸線（３０２）の他方の側に位置しかつ地板基準水平軸線（３０４）より前記巻真（１１０）に近い方の側に第２領域（３２０）が設けられ、前記地板（１０２）には、地板基準垂直軸線（３０２）の上記第２領域（３２０）のある上記他方の側に位置しかつ地板基準水平軸線（３０４）より前記巻真（１１０）から遠い方の側に第３領域（３３０）が設けられ、前記地板（１０２）には、地板基準垂直軸線（３０２）の上記第１領域のある上記一方の側に位置しかつ地板基準水平軸線（３０４）より前記巻真（１１０）から遠い方の側に第４領域（３４０）が設けられており、
時刻情報を表示するための輪列を作動させるために設けられた時刻用ロータ（４８６）の回転中心は、第４領域（３４０）に配置され、
クロノグラフの計測結果を表示するための第１の輪列を作動させるために設けられた第１のクロノグラフロータ（４６６）の回転中心は、第３領域（３３０）に配置され、
クロノグラフの他の計測結果を表示するための第２の輪列を作動させるために設けられた第２のクロノグラフロータ（４４６）の回転中心は、第３領域（３３０）に配置され、
前記第１のクロノグラフロータ（４６６）の回転中心は、第３領域（３３０）において、前記第２のクロノグラフロータ（４４６）の回転中心より外側に配置される、
ことを特徴とするアナログクロノグラフ時計。
【請求項７】
水晶ユニット（１１４）及び／又はＩＣ（集積回路）（１１６）が、ムーブメントの表側において、第２領域（３２０）に配置されることを特徴とする請求項３から請求項６のいずれか１項に記載の時計。
【請求項８】
電池（１２０）が、第１領域（３１０）と第４領域（３４０）との間の地板基準水平軸線（３１２）にオーバーラップするように配置されることを特徴とする請求項３から請求項７のいずれか１項に記載の時計。
【発明の詳細な説明】
【０００１】
【発明の属する技術分野】
本発明は、複数モータを備えたアナログクロノグラフ時計に関する。特に、本発明は、アナログクロノグラフ時計において、ムーブメントの中心にクロノグラフ秒針を配置することもでき、ムーブメントの中心以外の位置にクロノグラフ秒針を配置することもできるように構成したムーブメントを有するアナログクロノグラフ時計に関する。
【０００２】
【従来の技術】
一般に、アナログ電子時計のムーブメント（駆動部分を含む機械体）は、ムーブメントの基板を構成する地板を有する。アナログ電子時計において、地板の両側のうちで、文字板のある方の側をムーブメントの「裏側」と称し、文字板のある方の側と反対側をムーブメントの「表側」と称する。ムーブメントの「表側」に組み込まれる輪列を「表輪列」と称し、ムーブメントの「裏側」に組み込まれる輪列を「裏輪列」と称する。
【０００３】
ムーブメントの「表側」には、電池、回路ブロック、モータ、表輪列などが配置される。一般に、表輪列は五番車、四番車、三番車、二番車（分車）などを含む。一般に、モータはステップモータで構成され、コイルブロック、ステータ、ロータを含む。アナログ電子時計においては、ロータを駆動させることにより輪列を回転させている。ロータは、ロータ磁石と、ロータかな（ロータにおいて、ロータ磁石以外の部分をいう、以下同じ）とを含む。
ムーブメントの「裏側」には、裏輪列などが配置される。一般に、裏輪列は、小鉄車、筒車、日の裏車などを含む。更に、切換装置がムーブメントの「表側」又は「裏側」に配置される。一般に、切換装置は、おしどり、かんぬき、かんぬき押えなどを含む。更に、針合わせ機構として、巻真、つづみ車、小鉄車などが設けられる。アナログ電子時計では、ステップモータが作動すると、ロータの回転により輪列が回転して、時針により現在の時刻のうちの「時」を表示し、分針により現在の時刻のうちの「分」を表示するように構成されている。
【０００４】
そして、アナログクロノグラフ時計では、ステップモータが作動すると、ロータの回転により輪列が回転して、クロノグラフ秒針により「経過時間のうちの秒」を表示し、クロノグラフ分針により「経過時間のうちの分」を表示し、クロノグラフ秒針により「経過時間のうちの秒」を表示し、クロノグラフ時針により「時の経過時間」を表示するように構成されている。また、１／１０クロノグラフ秒針により「経過時間のうちの１／１０秒単位で計測した時間」を表示し、及び／又は、１／５クロノグラフ秒針により「経過時間のうちの１／５秒単位で計測した時間」を表示するように構成したアナログクロノグラフ時計も知られている。
【０００５】
特開昭６３−１４９５８６号公報に開示されている電子時計では、ムーブメントの中央部に時刻表示用のモータと輪列が配置され、ムーブメントの外周部に、約９０度の間隔で、５／１００クロノグラフ秒針を作動させるモータと輪列、クロノグラフ秒針を作動させるモータと輪列、クロノグラフ分針を作動させるモータと輪列が配置されている。
特開昭６１−８３９９２号公報に開示されているクロノグラフ付電子時計では、ムーブメントの中央部に回転中心を配置した秒針が、外部操作部材を操作することにより、通常時刻と、クロノグラフ時刻とを切り換えて表示するようになっている。そして、秒針を駆動させる輪列が、クロノグラフ分針、クロノグラフ時針を作動させるように構成されている。
【０００６】
特開昭５５−１６０８９０号公報に開示されているクロノグラフ時計は、ムーブメントの中央部に回転中心を配置したクロノグラフ秒針と、文字板の９時方向に回転中心を配置したクロノグラフ分針と、文字板の１２時方向に回転中心を配置したクロノグラフ時針とを備えている。そして、ムーブメントの外周部に、クロノグラフ秒針を作動させるモータと輪列、クロノグラフ分針を作動させるモータと輪列、クロノグラフ時針を作動させるモータと輪列が配置されている。
特開昭５５−７６６２号公報に開示されているクロノグラフ時計は、時刻を表示するための指針を作動させるための時計機構と、クロノグラフ針を作動させるためのクロノグラフ機構を備えている。このクロノグラフ時計では、クロノグラフ秒針の回転中心はムーブメントの中央部に配置され、時計用秒針の回転中心はムーブメントの中央部と外周部の中間に配置されている。
【０００７】
【発明が解決しようとする課題】
従来のアナログクロノグラフ時計では、クロノグラフ秒針をムーブメントの中心に配置した構造のクロノグラフ時計（以下、「センタークロノグラフ時計」と称する）と、ムーブメントの中心以外の位置にクロノグラフ秒針を配置した構造のクロノグラフ時計（以下、「サイドクロノグラフ時計」と称する）は、それぞれのムーブメントを構成する部品、特に、地板、受部材（輪列受など）、ステップモータ及び輪列の寸法、形状、配置が全く異なっていた。
【０００８】
したがって、従来のアナログクロノグラフ時計では、「センタークロノグラフ時計」と、「サイドクロノグラフ時計」を製造する場合、それぞれのムーブメントを全く別個に設計し、それぞれのムーブメントを全く別個の工程により製造しなければならなかった。このため、ムーブメントの設計時間が多大になり、ムーブメントの製造工程が複雑になり、ムーブメントの製造工数が増加する課題があった。
さらに、「センタークロノグラフ時計」の構成部品と、「サイドクロノグラフ時計」の構成部品とを、それぞれ在庫として一定の数量、保管しなければならないので、保管場所の確保が必要となり、アフターサービスの作業負担が大きくなる課題があった。
【０００９】
【発明の目的】
本発明の目的は、アナログクロノグラフ時計において、クロノグラフ時計のムーブメントの中心にクロノグラフ秒針を配置することもでき、クロノグラフ時計のムーブメントの中心以外の位置にクロノグラフ秒針を配置することもできるように構成したムーブメントを有するクロノグラフ時計を提供することにある。
【００１０】
【課題を解決するための手段】
本発明は、ムーブメントの基板を構成する地板と、ムーブメントを構成する部品を支持するための受部材と、時刻情報を表示するために地板中心を回転中心として回転する時刻情報表示車と、時刻情報の表示を修正するための巻真と、巻真の位置を切り換えるための切換装置と、時刻情報を表示するための文字板とを有するアナログクロノグラフ時計であって、地板は、ムーブメントを用いて「センタークロノグラフ時計」を製造するときに用いられるロータおよび輪列の軸受部と、ムーブメントを用いて「サイドクロノグラフ時計」を製造するときに用いられるロータおよび輪列の軸受部とを備えり、受部材は、ムーブメントを用いて「センタークロノグラフ時計」を製造するときに用いられるロータおよび輪列の軸受部と、ムーブメントを用いて「サイドクロノグラフ時計」を製造するときに用いられるロータおよび輪列の軸受部とを備えるように構成した。
このアナログクロノグラフ時計では、「サイドクロノグラフ時計」を製造するときに用いられる前記ロータおよび前記輪列は、地板の前記軸受部と、前記受部材の前記軸受部とに対して回転可能なように組み込まれている。このアナログクロノグラフ時計は、地板中心を回転中心として回転する時刻表示部材により、時刻情報を表示するように構成され、地板中心と地板の外形部との間の位置を回転中心として回転するクロノグラフ表示部材により、クロノグラフの計測結果を表示するように構成されていることを特徴とする。
【００１１】
さらに、本発明のアナログクロノグラフ時計は、「センタークロノグラフ時計」を製造するときに用いられるロータおよび輪列が、地板の軸受部と、受部材の軸受部とに対して回転可能なように組み込まれ、地板中心を回転中心として回転する時刻表示部材と、地板中心と地板の外形部との間の位置を回転中心として回転する他の時刻表示部材とにより、時刻情報を表示するように構成され、地板中心を回転中心として回転するクロノグラフ表示部材と、地板中心と地板の外形部との間の位置を回転中心として回転する他のクロノグラフ表示部材とにより、クロノグラフの計測結果を表示するように構成されることを特徴とする。
また、本発明のアナログクロノグラフ時計においては、地板に、地板中心を通り、巻真の中心軸線と平行な地板基準垂直軸線と、地板中心を通り地板基準垂直軸線と垂直な地板基準水平軸線を定義し、さらに、地板には、地板基準垂直軸線の一方の側に位置しかつ地板基準水平軸線より巻真に近い方の側に第１領域が設けられ、地板には、地板基準垂直軸線の他方の側に位置しかつ地板基準水平軸線より巻真に近い方の側に第２領域が設けられ、地板には、地板基準垂直軸線の上記第２領域のある上記他方の側に位置しかつ地板基準水平軸線より巻真から遠い方の側に第３領域が設けられ、地板には、地板基準垂直軸線の上記第１領域のある上記一方の側に位置しかつ地板基準水平軸線より巻真から遠い方の側に第４領域が設けられている。
【００１２】
この本発明のアナログクロノグラフ時計においては、時刻情報を表示するためのモータおよび輪列を作動させるために設けられたサイド用時刻コイルブロックのコイルブロック中心は、第３領域に配置され、クロノグラフの計測結果を表示するためのモータおよび輪列を作動させるために設けられた第１のクロノコイルブロックのコイルブロック中心は、第３領域に配置され、クロノグラフの他の計測結果を表示するためのモータおよび輪列を作動させるために設けられた第２のコイルブロックのコイルブロック中心は、第４領域に配置され、前記第１のクロノコイルブロックのコイルブロック中心は、第３領域において、前記サイド用時刻コイルブロックのコイルブロック中心より外側に配置されることを特徴とする。
【００１３】
また、この本発明のアナログクロノグラフ時計においては、時刻情報を表示するための輪列を作動させるために設けられた時刻用ロータの回転中心は、第３領域に配置され、クロノグラフの計測結果を表示するための第１の輪列を作動させるために設けられた第１のクロノグラフロータの回転中心は、第３領域に配置され、クロノグラフの他の計測結果を表示するための第２の輪列を作動させるために設けられた第２のクロノグラフロータの回転中心は、第４領域に配置され、前記第１のクロノグラフロータの回転中心は、第３領域において、前記時刻用ロータの回転中心より外側に配置されることを特徴とする。
【００１４】
さらに、本発明は、アナログクロノグラフ時計であって、時刻情報を表示するためのモータおよび輪列を作動させるために設けられたセンター用時刻コイルブロックのコイルブロック中心は、第４領域に配置され、クロノグラフの計測結果を表示するためのモータおよび輪列を作動させるために設けられた第１のクロノコイルブロックのコイルブロック中心は、第３領域に配置され、クロノグラフの他の計測結果を表示するためのモータおよび輪列を作動させるために設けられた第２のコイルブロックのコイルブロック中心は、第３領域に配置され、前記第１のクロノコイルブロックのコイルブロック中心は、第３領域において、前記第２のコイルブロックのコイルブロック中心より外側に配置されることを特徴とする。
【００１５】
さらに、本発明は、アナログクロノグラフ時計であって、時刻情報を表示するための輪列を作動させるために設けられた時刻用ロータの回転中心は、第４領域に配置され、クロノグラフの計測結果を表示するための第１の輪列を作動させるために設けられた第１のクロノグラフロータの回転中心は、第３領域に配置され、クロノグラフの他の計測結果を表示するための第２の輪列を作動させるために設けられた第２のクロノグラフロータの回転中心は、第３領域に配置され、前記第１のクロノグラフロータの回転中心は、第３領域において、前記第２のクロノグラフロータ（４４６）の回転中心より外側に配置されることを特徴とする。
【００１６】
本発明のアナログクロノグラフ時計においては、水晶ユニット及び／又はＩＣ（集積回路）は、ムーブメントの表側において、第２領域に配置されるのが好ましい。
また、本発明のアナログクロノグラフ時計においては、電池が、第１領域と第４領域との間の地板基準水平軸線にオーバーラップするように配置されるのが好ましい。。
【００１７】
【発明の効果】
このように構成した本発明により、「センタークロノグラフ時計」のムーブメントの構成部品と、「サイドクロノグラフ時計」のムーブメントの構成部品の兼用化をはかることができるので、ムーブメントの設計コスト、ムーブメントの製造コスト、クロノグラフ時計のアフターサービスコストなどを飛躍的に削減することができる。
【００１８】
【発明の実施の形態】
以下に、本発明の実施の形態を図面に基づいて説明する。
（１）第１の実施の形態
以下に、本発明のアナログクロノグラフ時計の第１の実施の形態を説明する。本発明の第１の実施の形態は、中三針タイプの「サイドクロノグラフ時計」である。
【００１９】
（１・１）ムーブメントの全体構成と用語の定義
最初に、本発明のアナログクロノグラフ時計のムーブメントの全体構成について説明する。
図１〜図３を参照すると、本発明のアナログクロノグラフ時計は、ムーブメント１００を備える。ムーブメント１００は、その基板を構成する地板１０２を備える。本発明の実施の形態では、地板１０２の外形形状は、ほぼ円形である。なお、地板１０２の外形形状は四角形、多角形、長円形等の他の形状であってもよい。地板１０２の外形形状は、図１に示すように、外形の一部分をカットした円形であるのが好ましい。
本発明の実施の形態では、モータ、表輪列部（表輪列駆動用モータおよび表輪列を含む）、電池、回路ブロック、切換装置は、それぞれムーブメント１００において、地板１０２を基準として、文字板１０４のある側と反対にある側、すなわち、ムーブメント１０２（地板１０２）の表側に配置される。裏輪列受１０８が、地板１０２を基準として、文字板１０４のある側に配置される。
切換装置は、時刻情報を修正するための巻真１１０と、巻真１１０の回転により小鉄車１３０を回転させることができるつづみ車１３２と、おしどり１３４、かんぬき１３６を含む。ムーブメント１００では、巻真１１０を１段目に引き出すことができるように、かんぬき１３６の凹凸部分を形成している。かんぬき１３６のばね部分のばね力により、かんぬき１３６の凹凸部分がおしどり１３４の先端部分の側面に押しつけられる。この構成により、おしどり１３４の位置を決め、かつ、巻真１１０の切換重さを設定する。
【００２０】
アナログクロノグラフ時計においては、文字板１０４をムーブメント１００に取り付けた状態を仮定したときに、ムーブメント１００の中心３００から文字板１０４の１２時目盛に向かう方向を「１２時方向」と称し（図１に「１２Ｈ」として示す）、ムーブメント１００の中心３００から文字板の３時目盛に向かう方向を「３時方向」と称し（図１に「３Ｈ」として示す）、ムーブメント１００の中心３００から文字板の６時目盛に向かう方向を「６時方向」と称し（図１に「６Ｈ」として示す）、ムーブメント１００の中心３００から文字板の９時目盛に向かう方向を「９時方向」と称する（図１に「９Ｈ」として示す）。
巻真１１０が地板１０２に対して回転可能に組み込まれる。巻真１１０の回転軸線は、ムーブメント１００の中心３００から「３時方向」に向かう直線と一致するように配置される。
【００２１】
図１において、地板１０２に、サイド用二番車２２４の回転中心３００（以下、「地板中心３００」と称する）を通り、巻真１１０の中心軸線と平行な地板基準垂直軸線３０２と、地板中心３００を通り地板基準垂直軸線３０２と垂直な地板基準水平軸線３０４を定義する。地板１０２には、地板基準垂直軸線３０２の一方の側に位置しかつ地板基準水平軸線３０４より巻真１１０に近い方の側に第１領域３１０が設けられる。地板１０２には、地板基準垂直軸線３０２の他方の側に位置しかつ地板基準水平軸線３０４より巻真１１０に近い方の側に第２領域３２０が設けられる。地板１０２には、地板基準垂直軸線３０２の上記第２領域３２０のある上記他方の側に位置しかつ地板基準水平軸線３０４より巻真１１０から遠い方の側に第３領域３３０が設けられる。地板１０２には、地板基準垂直軸線３０２の上記第１領域のある上記一方の側に位置しかつ地板基準水平軸線３０４より巻真１１０から遠い方の側に第４領域３４０が設けられている。
図１において、第１領域３１０及び第４領域３４０は地板基準垂直軸線３０２より右側に定義されているが、変形例として、第１領域３１０及び第４領域３４０を、地板基準垂直軸線３０２より左側にあるように定義してもよい。この場合、第２領域３２０及び第３領域３３０は、地板基準垂直軸線３０２より右側にあるように定義される。
【００２２】
（１・２）時刻表示用輪列部の構成
次に、時刻表示用輪列部の構成を説明する。時刻表示用輪列部は、時刻表示用輪列駆動用モータおよび時刻表示用輪列を含む。
図１〜図３を参照すると、ムーブメント１００の「表側」には、回路ブロック、電池１２０、サイド用表輪列部、クロノ分秒輪列部、１／１０秒輪列部、切換装置などが配置される。地板１０２、輪列受１０６、輪列受１０７は支持部材を構成する。中心パイプ１０３が地板中心３００を中心軸として地板１０２に固定される。サイド用二番車２２４が中心パイプ１０３の中心穴に対して回転可能に組み込まれる。サイド用二番車２２４は、サイド用二番歯車２２４ａとサイド用筒かな２２４ｂとを含む。サイド用二番歯車２２４ａはサイド用筒かな２２４ｂに対してスリップ可能に、サイド用筒かな２２４ｂに組み込まれる。サイド用筒かな２２４ｂの筒部の外周は中心パイプ１０３の中心穴に対して回転可能に組み込まれる。サイド用二番歯車２２４ａは地板１０２と輪列受（Ａ）１０６との間に位置する。サイド用二番歯車２２４ａはサイド用筒かな２２４ｂと一体に回転するように構成される。
【００２３】
サイド用表輪列部は、サイド用表輪列駆動用モータ、すなわち、サイド用時刻モータと、サイド用時表示輪列とを含む。サイド用時モータの回転によりサイド用時表示輪列が回転して、時針２３０により現在の時刻のうちの「時」を表示し、分針２３２により現在の時刻のうちの「分」を表示し、秒針２３４により現在の時刻のうちの「秒」を表示するように構成される。
水晶ユニット１１４及びＩＣ（集積回路）１１６が、回路ブロック（図示せず）に取り付けられる。回路ブロックは、絶縁板（図示せず）を介してスイッチばね１２２により、地板１０２、輪列受（Ａ）１０６、輪列受（Ｂ）１０７に対して固定される。電池１２０は銀電池、リチウム電池などで構成され、アナログクロノグラフ時計の動力源を構成する。アナログクロノグラフ時計の動力源として、充電可能な二次電池を用いることもできるし、充電可能なコンデンサを用いることもできる。水晶ユニット１１４内にある水晶振動子は、アナログクロノグラフ時計の源振を構成し、例えば、３２，７６８ヘルツで発振する。電池マイナス端子１２８は、回路ブロックのマイナスパターンを介して電池１２０の陰極とＩＣ１１６のマイナス入力部とを導通させるように構成される。時刻表示モードにおいて、ＩＣ（集積回路）１１６は、現在時刻を計測して、サイド用時刻モータを作動させるように構成される。
【００２４】
サイド用時刻モータは、サイド用時刻コイルブロック２４２と、サイド用時刻ステータ２４４と、サイド用時刻ロータ、すなわち時刻ロータ（Ａ）２４６とを含む。ＩＣ（集積回路）１１６が出力する時刻モータ駆動信号を時刻コイルブロック２４２が入力すると、サイド用時刻ステータ２４４が磁化して、時刻ロータ（Ａ）２４６を回転させる。時刻ロータ（Ａ）２４６は、例えば、１秒ごとに１８０度回転するように構成される。時刻ロータ（Ａ）２４６は、上軸部２４６ａと、下軸部２４６ｂと、かな部２４６ｃと、ロータ磁石２４６ｄとを含む。時刻ロータ（Ａ）２４６の上軸部２４６ａは、輪列受（Ａ）１０６に設けられた時刻ロータ（Ａ）上軸受部１０６ａに対して回転可能に組み込まれる。時刻ロータ（Ａ）２４６の下軸部２４６ｂは、地板１０２に設けられた時刻ロータ（Ａ）下軸受部１０２ａに対して回転可能に組み込まれる。したがって、時刻ロータ（Ａ）２４６は、輪列受（Ａ）１０６と地板１０２との間に回転可能に配置される。
【００２５】
時刻ロータ（Ａ）２４６の回転に基づいて、サイド用時刻五番車、すなわち、時刻五番車（Ａ）２２０の回転を介してサイド用四番車２２１が回転するように構成される。時刻五番車（Ａ）２２０は、上軸部２２０ａと、下軸部２２０ｂと、かな部２２０ｃと、歯車部２２０ｄとを含む。時刻五番車（Ａ）２２０の歯車部２２０ｄは、時刻ロータ（Ａ）２４６のかな部２４６ｃと噛み合うように構成される。時刻五番車（Ａ）２２０の上軸部２２０ａは、輪列受（Ａ）１０６に設けられた時刻五番車（Ａ）上軸受部１０６ｂに対して回転可能に組み込まれる。時刻五番車（Ａ）２２０の下軸部２２０ｂは、地板１０２に設けられた時刻五番車（Ａ）下軸受部１０２ｂに対して回転可能に組み込まれる。したがって、時刻五番車（Ａ）２２０は、輪列受（Ａ）１０６と地板１０２との間に回転可能に配置される。
【００２６】
サイド用四番車２２１は、上軸部２２１ａと、下軸部に設けられたそろばん玉部２２１ｂと、かな部２２１ｃと、歯車部２２１ｄとを含む。サイド用四番車２２１の歯車部２２１ｄは、時刻五番車（Ａ）２２０のかな部２２０ｃと噛み合うように構成される。サイド用四番車２２１の上軸部２２１ａは、輪列受（Ａ）１０６に設けられたサイド用四番車上軸受部１０６ｃに対して回転可能に組み込まれる。サイド用四番車２２１のそろばん玉部２２１ｂはサイド用筒かな２２４ｂの中心穴の内部に回転可能に配置される。サイド用四番車２２１の回転中心は、地板中心３００である。サイド用四番車２２１は、１分間に１回転するように構成される。秒針２３４がサイド用四番車２２１に取付けられる。秒針２３４は秒表示部材を構成する。秒表示部材として、秒針を用いてもよいし、円盤を用いてもよいし、花又は幾何学的形状を含む他の形状の表示部材を用いてもよい。
サイド用四番車押えばね２３１が、サイド用四番車２２１に押圧力をかけるように設けられる。
【００２７】
サイド用四番車２２１の回転に基づいて、サイド用三番車２２２の回転を介してサイド用二番車２２４が回転するように構成される。サイド用三番車２２２は、上軸部と、下軸部と、かな部２２２ｃと、歯車部２２２ｄとを含む。サイド用三番車２２２の歯車部２２２ｄは、サイド用四番車２２１のかな部２２１ｃと噛み合うように構成される。サイド用三番車２２２の上軸部は、輪列受（Ａ）１０６に設けられたサイド用三番車上軸受部１０６ｄ（後述する輪列受（Ａ）の図面参照）に対して回転可能に組み込まれる。サイド用三番車２２２の下軸部は、地板１０２に設けられたサイド用三番車下軸受部１０２ｄ（後述する地板の図面参照）に対して回転可能に組み込まれる。したがって、サイド用三番車２２２は、輪列受（Ａ）１０６と地板１０２との間に回転可能に配置される。サイド用二番車２２４は、１時間に１回転するように構成される。分針２３２がサイド用二番車２２４のサイド用筒かな２２４ｂに取付けられる。分針２３２は分表示部材を構成する。分表示部材として、分針を用いてもよいし、円盤を用いてもよいし、花又は幾何学的形状を含む他の形状の表示部材を用いてもよい。
【００２８】
サイド用二番車２２４の回転に基づいて、日の裏車２２６の回転を介して筒車２２８が回転するように構成される。日の裏車２２６は、上軸部２２６ａと、下軸部２２６ｂと、かな部２２６ｃと、歯車部２２６ｄとを含む。日の裏車２２６の歯車部２２６ｄは、サイド用四番車２２１のサイド用筒かな２２４ｂのかな部と噛み合うように構成される。日の裏車２２６の上軸部２２６ａは、輪列受（Ａ）１０６に設けられた日の裏車上軸受部１０６ｅに対して回転可能に組み込まれる。日の裏車２２６の下軸部２２６ｂは、地板１０２に設けられた日の裏車下軸受部１０２ｅに対して回転可能に組み込まれる。日の裏車２２６の歯車部２２６ｄは、輪列受（Ａ）１０６と地板１０２との間に回転可能に配置される。日の裏車２２６のかな部２２６ｃは、地板１０２と裏輪列受１０８の間に回転可能に配置される。
【００２９】
筒車２２８は、中心パイプ１０３の外周部に対して回転可能に組み込まれる。筒車２２８の筒車歯車部２２８ｄは、地板１０２と裏輪列受１０８の間に回転可能に配置される。筒車２２８の回転中心は、地板中心３００である。したがって、筒車２２８の回転中心と、サイド用四番車２２１の回転中心は、サイド用二番車２２４の回転中心と同じ位置にある。筒車２２８は、１２時間に１回転するように構成される。時針２３４が筒車２２８に取付けられる。時針２３４は時表示部材を構成する。時表示部材として、時針を用いてもよいし、円盤を用いてもよいし、花又は幾何学的形状を含む他の形状の表示部材を用いてもよい。
【００３０】
巻真１１０を１段目に引き出した状態で、巻真１１０を回転させると、つづみ車１３２が回転し、つづみ車１３２の回転により小鉄車１３０を回転させることができるように構成される。そして、小鉄車１３０により日の裏車２２６を回転させて、時刻を合わせることができるように構成される。リセットレバー１４０は、リセット導通ばね１４０ｄと規正部１４０ｆとを備える。巻真１１０を１段目に引き出した状態では、リセットレバー１４０の規正部１４０ｆが、時刻五番車（Ａ）２２０の回転を規正することができるように構成される。巻真１１０を１段目に引き出した状態で、リセット導通ばね１４０ｄが回路ブロックのリセットパターンと導通することにより、アナログクロノグラフ時計をリセットさせることができるように構成される。
【００３１】
（１・３）クロノ分秒表示用輪列部の構成
次に、本発明のアナログクロノグラフ時計において、クロノグラフ計測モードで作動するクロノ分秒表示用輪列部の構成を説明する。クロノ分秒表示用輪列部は、クロノ分秒表示用輪列駆動用のモータと、クロノ分秒表示用輪列とを含む。
図１を参照すると、クロノ分秒表示用輪列部は、クロノ分秒表示用輪列駆動用モータ、すなわち、クロノ分秒モータと、クロノ分秒表示輪列とを含む。クロノ分秒モータの回転によりクロノ分秒表示用輪列が回転して、クロノグラフ分針によりクロノグラフ計測モードにおいて計測した経過時間のうちの「クロノグラフ分」を表示し、クロノグラフ秒針によりクロノグラフ計測モードにおいて計測した経過時間のうちの「クロノグラフ秒」を表示するように構成される。クロノグラフ計測モードにおいて、ＩＣ（集積回路）１１６は、経過時間を計測して、クロノ分秒モータを作動させるように構成される。
【００３２】
クロノ分秒モータは、クロノ分秒コイルブロック２６２と、クロノ分秒ステータ２６４と、クロノ分秒ロータ２６６とを含む。クロノ分秒コイルブロック２６２の寸法・形状は、サイド用時刻コイルブロック２４２の寸法・形状と同じにすることができる。クロノ分秒ステータ２６４の寸法・形状は、サイド用時刻ステータ２４４の寸法・形状と同じにすることができる。
ＩＣ（集積回路）１１６が出力するクロノ分秒モータ駆動信号をクロノ分秒コイルブロック２６２が入力すると、クロノ分秒ステータ２６４が磁化して、クロノ分秒ロータ２６６を回転させる。クロノ分秒ロータ２６６は、例えば、１秒ごとに１８０度回転するように構成される。クロノ分秒ロータ２６６は、上軸部と、下軸部と、かな部と、ロータ磁石とを含む。クロノ分秒ロータ２６６の上軸部は、輪列受（Ｂ）１０７に設けられたクロノ分秒ロータ上軸受部１０７ｆ（後述する輪列受（Ｂ）１０７の図面参照）に対して回転可能に組み込まれる。クロノ分秒ロータ２６６の下軸部は、地板１０２に設けられたクロノ分秒ロータ下軸受部１０２ｆ（後述する地板の図面参照）に対して回転可能に組み込まれる。したがって、クロノ分秒ロータ２６６は、輪列受（Ｂ）１０７と地板１０２との間に回転可能に配置される。
【００３３】
クロノ分秒ロータ２６６の回転に基づいて、クロノ分秒五番車２５０が回転するように構成される。クロノ分秒五番車２５０の回転に基づいて、秒クロノ中間車（Ａ）２５１および分クロノ中間車（Ａ）２５２が回転するように構成される。クロノ分秒五番車２５０は、上軸部と、下軸部と、かな部と、歯車部とを含む。クロノ分秒五番車２５０の歯車部は、クロノ分秒ロータ２６６のかな部と噛み合うように構成される。クロノ分秒五番車２５０の上軸部は、輪列受（Ｂ）１０７に設けられたクロノ分秒五番車上軸受部１０６ｇ（後述する輪列受（Ｂ）１０７の図面参照）に対して回転可能に組み込まれる。クロノ分秒五番車２５０の下軸部は、地板１０２に設けられたクロノ分秒五番車下軸受部１０２ｇ（後述する地板の図面参照）に対して回転可能に組み込まれる。したがって、クロノ分秒五番車２５０は、輪列受（Ｂ）１０７と地板１０２との間に回転可能に配置される。
【００３４】
秒クロノ中間車（Ａ）２５１の回転に基づいて、秒クロノ中間車（Ｂ）２５３の回転を介して秒クロノグラフ車２５４が回転するように構成される。秒クロノ中間車（Ａ）２５１の寸法・形状は、秒クロノ中間車（Ｂ）２５３の寸法・形状と同じように構成される。秒クロノ中間車（Ａ）２５１は、上軸部と、下軸部と、歯車部とを含む。秒クロノ中間車（Ａ）２５１の歯車部は、クロノ分秒五番車２５０のかな部と噛み合うように構成される。秒クロノ中間車（Ａ）２５１の上軸部は、裏輪列受１０８に設けられた秒クロノ中間車（Ａ）上軸受部１０８ｈ（後述する裏輪列受の図面参照）に対して回転可能に組み込まれる。秒クロノ中間車（Ａ）２５１の下軸部は、地板１０２に設けられた秒クロノ中間車（Ａ）下軸受部１０２ｈ（後述する地板の図面参照）に対して回転可能に組み込まれる。したがって、秒クロノ中間車（Ａ）２５１は、裏輪列受１０８と地板１０２との間に回転可能に配置される。
【００３５】
秒クロノ中間車（Ｂ）２５３は、上軸部と、下軸部と、歯車部とを含む。秒クロノ中間車（Ｂ）２５３の歯車部は、秒クロノ中間車（Ａ）２５１の歯車部と噛み合うように構成される。秒クロノ中間車（Ｂ）２５３の上軸部は、裏輪列受１０８に設けられた秒クロノ中間車（Ｂ）上軸受部１０８ｊ（後述する裏輪列受の図面参照）に対して回転可能に組み込まれる。秒クロノ中間車（Ｂ）２５３の下軸部は、地板１０２に設けられた秒クロノ中間車（Ｂ）下軸受部１０２ｊ（後述する地板の図面参照）に対して回転可能に組み込まれる。したがって、秒クロノ中間車（Ｂ）２５３は、裏輪列受１０８と地板１０２との間に回転可能に配置される。
【００３６】
秒クロノグラフ車２５４は、上軸部と、下軸部と、歯車部とを含む。秒クロノグラフ車２５４の歯車部は、秒クロノ中間車（Ｂ）２５３の歯車部と噛み合うように構成される。秒クロノグラフ車２５４の上軸部は、裏輪列受１０８に設けられた秒クロノグラフ車上軸受部１０８ｋ（後述する裏輪列受の図面参照）に対して回転可能に組み込まれる。秒クロノグラフ車２５４の下軸部は、地板１０２に設けられた秒クロノグラフ車下軸受部１０２ｋ（後述する地板の図面参照）に対して回転可能に組み込まれる。したがって、秒クロノグラフ車２５４は、裏輪列受１０８と地板１０２との間に回転可能に配置される。秒クロノグラフ針２５５（後述するコンプリートの図面参照）が秒クロノグラフ車２５４に取付けられる。秒クロノグラフ針２５５は秒クロノグラフ表示部材を構成する。クロノグラフ計測モードにおいて、秒クロノグラフ針２５５は、経過時間のうちの「秒」を表示するように作動する。
【００３７】
図１を参照すると、秒クロノグラフ車２５４の回転中心は、地板基準水平軸線３０４の上であって、地板中心３００と、ムーブメント１００の「６時方向」にある地板１０２の外形部３０６との間の位置にある。秒クロノグラフ車２５４の回転中心と地板中心３００との間の距離は、地板１０２の最大外形部の半径の約１／２である。
【００３８】
分クロノ中間車（Ａ）２５２の回転に基づいて、分クロノ中間車（Ｂ）２５７の回転を介して分クロノグラフ車２５８が回転するように構成される。分クロノ中間車（Ａ）２５２は、上軸部と、下軸部と、かな部と、歯車部とを含む。分クロノ中間車（Ａ）２５２の歯車部は、クロノ分秒五番車２５０のかな部と噛み合うように構成される。分クロノ中間車（Ａ）２５２の上軸部は、裏輪列受１０８に設けられた分クロノ中間車（Ａ）上軸受部１０８ｍ（後述する裏輪列受の図面参照）に対して回転可能に組み込まれる。分クロノ中間車（Ａ）２５２の下軸部は、地板１０２に設けられた分クロノ中間車（Ａ）下軸受部１０２ｍ（後述する地板の図面参照）に対して回転可能に組み込まれる。したがって、分クロノ中間車（Ａ）２５２は、裏輪列受１０８と地板１０２との間に回転可能に配置される。
分クロノ中間車（Ｂ）２５７は、上軸部と、下軸部と、かな部と、歯車部とを含む。分クロノ中間車（Ｂ）２５７は、分クロノ中間車（Ａ）２５２のかな部と噛み合うように構成される。分クロノ中間車（Ｂ）２５７の上軸部は、裏輪列受１０８に設けられた分クロノ中間車（Ｂ）上軸受部１０８ｎ（後述する裏輪列受の図面参照）に対して回転可能に組み込まれる。分クロノ中間車（Ｂ）２５７の下軸部は、地板１０２に設けられた分クロノ中間車（Ｂ）下軸受部１０２ｎ（後述する地板の図面参照）に対して回転可能に組み込まれる。したがって、分クロノ中間車（Ｂ）２５７は、裏輪列受１０８と地板１０２との間に回転可能に配置される。
【００３９】
分クロノグラフ車２５８は、上軸部と、下軸部と、歯車部とを含む。分クロノグラフ車２５８の歯車部は、分クロノ中間車（Ｂ）２５７の歯車部と噛み合うように構成される。分クロノグラフ車２５８の上軸部は、裏輪列受１０８に設けられた分クロノグラフ車上軸受部１０８ｐ（後述する裏輪列受の図面参照）に対して回転可能に組み込まれる。分クロノグラフ車２５８の下軸部は、地板１０２に設けられた分クロノグラフ車下軸受部１０２ｐ（後述する地板の図面参照）に対して回転可能に組み込まれる。したがって、分クロノグラフ車２５８は、裏輪列受１０８と地板１０２との間に回転可能に配置される。分クロノグラフ針２５９（後述するコンプリートの図面参照）が分クロノグラフ車２５８に取付けられる。分クロノグラフ針２５９は分クロノグラフ表示部材を構成する。クロノグラフ計測モードにおいて、分クロノグラフ針２５９は、経過時間のうちの「分」を表示するように作動する。
【００４０】
図１を参照すると、分クロノグラフ車２５８の回転中心は、地板基準垂直軸線３０２の上であって、地板中心３００と、ムーブメント１００の「９時方向」にある地板１０２の外形部３０９との間の位置にある。分クロノグラフ車２５８の回転中心と地板中心３００との間の距離は、地板１０２の最大外形部の半径の約１／２である。
【００４１】
（１・４）１／１０秒表示用輪列部の構成
次に、本発明のアナログクロノグラフ時計において、クロノグラフ計測モードで作動する１／１０秒表示用輪列部の構成を説明する。１／１０秒表示用輪列部は、１／１０秒表示用輪列駆動用のモータと、１／１０秒表示用輪列とを含む。図１〜図３を参照すると、１／１０秒モータは、１／１０秒コイルブロック２８２と、１／１０秒ステータ２８４と、１／１０秒ロータ２８６とを含む。１／１０秒コイルブロック２８２の寸法・形状は、サイド用時刻コイルブロック２４２の寸法・形状と同じにすることができる。１／１０秒ステータ２８４の寸法・形状は、サイド用時刻ステータ２４４の寸法・形状と同じにすることができる。
ＩＣ（集積回路）１１６が出力する１／１０秒モータ駆動信号を１／１０秒コイルブロック２８２が入力すると、１／１０秒ステータ２８４が磁化して、１／１０秒ロータ２８６を回転させる。１／１０秒ロータ２８６は、例えば、１／１０秒ごとに１８０度回転するように構成される。１／１０秒ロータ２８６は、上軸部２８６ａと、下軸部２８６ｂと、かな部２８６ｃと、ロータ磁石２８６ｄとを含む。１／１０秒ロータ２８６の上軸部２８６ａは、輪列受（Ａ）１０６に設けられた１／１０秒ロータ上軸受部１０６ｒに対して回転可能に組み込まれる。１／１０秒ロータ２８６の下軸部２８６ｂは、地板１０２に設けられた１／１０秒ロータ下軸受部１０２ｒに対して回転可能に組み込まれる。したがって、１／１０秒ロータ２８６は、輪列受（Ａ）１０６と地板１０２との間に回転可能に配置される。
時刻ロータ（Ａ）２４６、クロノ分秒ロータ２６６、１／１０秒ロータ２８６は同じ部品である。しかしながら、時刻ロータ（Ａ）２４６およびクロノ分秒ロータ２６６は、かな部を上にして組み込むが（かな部が輪列受（Ａ）１０６に近づくようにして組み込むが）、１／１０秒ロータ２８６はかな部を下にして組み込む（かな部が地板１０２に近づくようにして組み込む）。
【００４２】
１／１０秒ロータ２８６の回転に基づいて、１／１０秒五番車２７０が回転するように構成される。１／１０秒五番車２７０は、上軸部２７０ａと、下軸部２７０ｂと、上かな部２７０ｃと、歯車部２７０ｄと、下かな部２７０ｆとを含む。１／１０秒五番車２７０の歯車部２７０ｄは、１／１０秒ロータ２８６のかな部２８６ｃと噛み合うように構成される。１／１０秒五番車２７０の上軸部２７０ａは、輪列受（Ａ）１０６に設けられた１／１０秒五番車上軸受部１０６ｓに対して回転可能に組み込まれる。１／１０秒五番車２７０の下軸部２７０ｂは、地板１０２に設けられた１／１０秒五番車下軸受部１０２ｓに対して回転可能に組み込まれる。したがって、１／１０秒五番車２７０は、輪列受（Ａ）１０６と地板１０２との間に回転可能に配置される。
【００４３】
１／１０秒五番車２７０の回転に基づいて、１／１０秒クロノ中間車（Ａ）２７１の回転を介して１／１０秒クロノ中間車（Ｂ）２７２が回転するように構成される。１／１０秒クロノ中間車（Ａ）２７１の寸法・形状は、１／１０秒クロノ中間車（Ｂ）２７２の寸法・形状と同じように構成される。１／１０秒クロノ中間車（Ａ）２７１は、上軸部２７１ａと、下軸部２７１ｂと、歯車部２７１ｄとを含む。１／１０秒クロノ中間車（Ａ）２７１の歯車部２７１ｄは、１／１０秒五番車２７０の下かな部２７０ｆと噛み合うように構成される。１／１０秒クロノ中間車（Ａ）２７１の上軸部２７１ａは、裏輪列受１０８に設けられた１／１０秒クロノ中間車（Ａ）上軸受部１０８ｔに対して回転可能に組み込まれる。１／１０秒クロノ中間車（Ａ）２７１の下軸部２７１ｂは、地板１０２に設けられた１／１０秒クロノ中間車（Ａ）下軸受部１０２ｔに対して回転可能に組み込まれる。したがって、１／１０秒クロノ中間車（Ａ）２７１は、裏輪列受１０８と地板１０２との間に回転可能に配置される。
【００４４】
１／１０秒クロノ中間車（Ｂ）２７２は、上軸部２７２ａと、下軸部２７２ｂと、歯車部２７２ｄとを含む。１／１０秒クロノ中間車（Ｂ）２７２の歯車部２７２ｄは、１／１０秒クロノ中間車（Ａ）２７１の歯車部２７１ｄと噛み合うように構成される。１／１０秒クロノ中間車（Ｂ）２７２の上軸部２７２ａは、裏輪列受１０８に設けられた１／１０秒クロノ中間車（Ｂ）上軸受部１０８ｕ（後述する裏輪列受の図面参照）に対して回転可能に組み込まれる。１／１０秒クロノ中間車（Ｂ）２７２の下軸部２７２ｂは、地板１０２に設けられた１／１０秒クロノ中間車（Ｂ）下軸受部１０２ｕ（後述する地板の図面参照）に対して回転可能に組み込まれる。したがって、１／１０秒クロノ中間車（Ｂ）２７２は、裏輪列受１０８と地板１０２との間に回転可能に配置される。
【００４５】
１／１０秒クロノ中間車（Ｂ）２７２の回転に基づいて、１／１０秒クロノグラフ車２７４が回転するように構成される。１／１０秒クロノグラフ車２７４は、上軸部２７４ａと、下軸部２７４ｂと、歯車部２７４ｄとを含む。１／１０秒クロノグラフ車２５４の歯車部２７４ｄは、１／１０秒クロノ中間車（Ｂ）２７２の歯車部２７２ｄと噛み合うように構成される。１／１０秒クロノグラフ車２７４の上軸部２７４ａは、裏輪列受１０８に設けられた１／１０秒クロノグラフ車上軸受部１０８ｖ（後述する裏輪列受の図面参照）に対して回転可能に組み込まれる。１／１０秒クロノグラフ車２７４の下軸部２７４ｂは、地板１０２に設けられた１／１０秒クロノグラフ車下軸受部１０２ｖ（後述する地板の図面参照）に対して回転可能に組み込まれる。したがって、１／１０秒クロノグラフ車２７４は、裏輪列受１０８と地板１０２との間に回転可能に配置される。１／１０秒クロノグラフ針２７５が１／１０秒クロノグラフ車２７４に取付けられる。１／１０秒クロノグラフ針２７５は１／１０秒クロノグラフ表示部材を構成する。クロノグラフ計測モードにおいて、１／１０秒クロノグラフ針２７５は、経過時間のうちの「１／１０秒」を表示するように作動する。
【００４６】
図１を参照すると、１／１０秒クロノグラフ車２７４の回転中心は、地板基準水平軸線３０４の上であって、地板中心３００と、ムーブメント１００の「１２時方向」にある地板１０２の外形部３１２との間の位置にある。１／１０秒クロノグラフ車２７４の回転中心と地板中心３００との間の距離は、地板１０２の最大外形部の半径の約１／２である。
【００４７】
（１・５）地板の構成
図１および図４を参照すると、地板１０２において、地板中心３００には、中心パイプ１０３が配置される。小鉄車１３０の回転中心軸１３０ｐは、地板基準垂直軸線３０２の上であって、地板中心３００と、ムーブメント１００の「３時方向」にある地板１０２の外形部３０３との間の位置にある。日の裏車下軸受部１０２ｅは、地板１０２において、第２領域３２０に配置される。おしどり１３４の回転中心、かんぬき１３６の回転中心、リセットレバー１４０の回転中心は、地板１０２において、第２領域３２０に配置される。
秒クロノグラフ車下軸受部１０２ｋは、地板１０２において、地板基準水平軸線３０４の上であって、地板中心３００と、ムーブメント１００の「６時方向」にある地板１０２の外形部３０６との間の位置にある。
【００４８】
時刻ロータ（Ａ）下軸受部１０２ａ、時刻五番車（Ａ）下軸受部１０２ｂは、地板１０２において、第３領域３３０に配置される。
クロノ分秒ロータ下軸受部１０２ｆ、クロノ分秒五番車下軸受部１０２ｇ、秒クロノ中間車（Ａ）下軸受部１０２ｈ、秒クロノ中間車（Ｂ）下軸受部１０２ｊ、分クロノ中間車（Ａ）下軸受部１０２ｍ、分クロノ中間車（Ｂ）下軸受部１０２ｎは、地板１０２において、第３領域３３０に配置される。
分クロノグラフ車下軸受部１０２ｐは、地板１０２において、地板基準垂直軸線３０２の上であって、地板中心３００と、ムーブメント１００の「９時方向」にある地板１０２の外形部３０９との間の位置にある。
【００４９】
サイド用三番車下軸受部１０２ｄは、地板１０２において、第４領域３４０に配置される。
１／１０秒ロータ下軸受部１０２ｒ、１／１０秒五番車下軸受部１０２ｓ、１／１０秒クロノ中間車（Ａ）下軸受部１０２ｔ、１／１０秒クロノ中間車（Ｂ）下軸受部１０２ｕは、地板１０２において、第４領域３４０に配置される。
１／１０秒クロノグラフ車下軸受部１０２ｖは、地板１０２において、地板基準水平軸線３０４の上であって、地板中心３００と、ムーブメント１００の「１２時方向」にある地板１０２の外形部３１２との間の位置にある。
【００５０】
（１・６）輪列受（Ａ）、輪列受（Ｂ）の構成
図１および図５を参照すると、輪列受（Ａ）１０６において、地板中心３００には、サイド用四番車上軸受部１０６ｃが配置される。日の裏車上軸受部１０６ｅは、輪列受（Ａ）１０６において、第２領域３２０に配置される。
時刻ロータ（Ａ）上軸受部１０６ａ、時刻五番車（Ａ）上軸受部１０６ｂは、輪列受（Ａ）１０６において、第３領域３３０に配置される。
クロノ分秒ロータ上軸受部１０７ｆ、クロノ分秒五番車上軸受部１０７ｇは、輪列受（Ｂ）１０７において、第３領域３３０に配置される。
サイド用三番車上軸受部１０６ｄは、輪列受（Ａ）１０６において、第４領域３４０に配置される。
１／１０秒ロータ上軸受部１０６ｒ、１／１０秒五番車上軸受部１０６ｓは、輪列受（Ａ）１０６において、第４領域３４０に配置される。
【００５１】
（１・７）裏輪列受の構成
図１および図６を参照すると、裏輪列受１０８において、地板中心３００には、中心穴１０８ＣＨが設けられる。
秒クロノグラフ車上軸受部１０８ｋは、裏輪列受１０８において、地板基準水平軸線３０４の上であって、地板中心３００と、ムーブメント１００の「６時方向」にある裏輪列受１０８の外形部との間の位置にある。
秒クロノ中間車（Ａ）上軸受部１０８ｈ、秒クロノ中間車（Ｂ）上軸受部１０８ｊ、分クロノ中間車（Ａ）上軸受部１０８ｍ、分クロノ中間車（Ｂ）上軸受部１０８ｎは、裏輪列受１０８において、第３領域３３０に配置される。
分クロノグラフ車上軸受部１０８ｐは、裏輪列受１０８において、地板基準垂直軸線３０２の上であって、地板中心３００と、ムーブメント１００の「９時方向」にある裏輪列受１０８の外形部との間の位置にある。
１／１０秒クロノ中間車（Ａ）上軸受部１０８ｔ、１／１０秒クロノ中間車（Ｂ）上軸受部１０８ｕは、裏輪列受１０８において、第４領域３４０に配置される。
１／１０秒クロノグラフ車上軸受部１０８ｖは、裏輪列受１０８において、地板基準水平軸線３０４の上であって、地板中心３００と、ムーブメント１００の「１２時方向」にある裏輪列受１０８の外形部との間の位置にある。
【００５２】
（１・８）ムーブメントにおける部品の配置
次に、ムーブメント１００における部品の好ましい配置について説明する。
図１を参照すると、ムーブメント１００の表側において、おしどり１３４の回転中心１３４ｃ、かんぬき１３６の回転中心１３６ｃ、リセットレバー１４０の回転中心１４０ｃは、第２領域３２０に配置される。かんぬき１３６は弾性変形可能な材料で製造され、例えば、ステンレス鋼で製造されるのが好ましい。かんぬき１３６のばね部分は、ムーブメント１００の表側において、第２領域３２０内にある。このように構成することにより、長いばねをムーブメントの表側に効果的に配置することができる。
【００５３】
水晶ユニット１１４、ＩＣ（集積回路）１１６は、ムーブメント１００の表側において、第２領域３２０に配置される。このように構成することにより、水晶ユニット１１４、ＩＣ（集積回路）１１６を、ムーブメントの表側に効果的に配置することができる。変形例として、水晶ユニット１１４は、ムーブメント１００の表側において、第１領域３１０に配置してもよい。変形例として、ＩＣ（集積回路）１１６は、ムーブメント１００の表側において、第１領域３１０に配置してもよい。
リセットレバー１４０が時刻五番車（Ａ）２２０を規正する位置は、ムーブメント１００の表側において、第３領域３３０に配置される。リセットレバー１４０がリセットの作動を行う位置は、ムーブメント１００の表側において、第２領域３２０に配置される。このように構成することにより、長いばね部を含むリセットレバー１４０を、ムーブメントの表側に効果的に配置することができる。
【００５４】
電池１２０の中心は、ムーブメント１００の表側において、第１領域３１０に配置されるのがよい。しかしながら、電池１２０の中心は、ムーブメント１００の表側において、第４領域３４０にあってもよい。すなわち、電池１２０の中心は、第１領域３１０にあってもよく、第４領域３４０にあってもよいが、電池１２０は、第１領域３１０と第４領域３４０との間の地板基準水平軸線３１２にオーバーラップするように配置される。このように構成することにより、大きいサイズの電池１２０を、ムーブメント１００の表側に効果的に配置することができる。
【００５５】
サイド用時刻コイルブロック２４２のコイルワイヤ巻き線部の長さ方向中心軸線の中心（以下、「コイルブロック中心」と称す）２４２ｃは、第３領域３３０に配置されるのがよい。時刻ロータ（Ａ）２４６の回転中心、時刻五番車（Ａ）２２０の回転中心は、第３領域３３０に配置されるのがよい。サイド用三番車２２２の回転中心は、第４領域３４０に配置されるのがよい。日の裏車２２６の回転中心は、第２領域３２０に配置されるのがよい。
クロノ分秒コイルブロック２６２のコイルブロック中心２６２ｃは、第３領域３３０に配置されるのがよい。クロノ分秒ロータ２６６の回転中心、クロノ分秒五番車２５０の回転中心、秒クロノ中間車（Ａ）２５１の回転中心、分クロノ中間車（Ａ）２５２の回転中心、秒クロノ中間車（Ｂ）２５３の回転中心、分クロノ中間車（Ｂ）２５７の回転中心の回転中心は、第３領域３３０に配置されるのがよい。クロノ分秒コイルブロック２６２のコイルブロック中心２６２ｃは、第３領域３３０において、サイド用時刻コイルブロック２４２のコイルブロック中心２４２ｃより外側に配置される。クロノ分秒ロータ２６６の回転中心は、第３領域３３０において、時刻ロータ（Ａ）２４６の回転中心より外側に配置される。
【００５６】
秒クロノグラフ車２５４の回転中心は、地板基準水平軸線３０４の上であって、地板中心３００と、ムーブメント１００の「６時方向」にある地板１０２の外形部３０６との間の位置にある。秒クロノグラフ車２５４の回転中心と地板中心３００との間の距離は、地板１０２の最大外形部の半径の３０％〜７０％であるのが好ましく、地板１０２の最大外形部の半径の４５％〜５５％であるのが一層好ましく、地板１０２の最大外形部の半径の約１／２であるのが特に好ましい。
また、分クロノグラフ車２５８の回転中心は、地板基準垂直軸線３０２の上であって、地板中心３００と、ムーブメント１００の「９時方向」にある地板１０２の外形部３０９との間の位置にある。分クロノグラフ車２５８の回転中心と地板中心３００との間の距離は、地板１０２の最大外形部の半径の３０％〜７０％であるのが好ましく、地板１０２の最大外形部の半径の４５％〜５５％であるのが一層好ましく、地板１０２の最大外形部の半径の約１／２であるのが特に好ましい。
【００５７】
１／１０秒コイルブロック２８２のコイルブロック中心２８２ｃは、第４領域３４０に配置されるのがよい。１／１０秒ロータ２８６の回転中心、１／１０秒五番車２７０の回転中心、１／１０秒クロノ中間車（Ａ）２７１の回転中心、１／１０秒クロノ中間車（Ｂ）２７２の回転中心は、第４領域３４０に配置されるのがよい。このように構成することにより、複数のコイルブロックと、複数の輪列とを、ムーブメントの表側に効果的に配置することができる。ここで、輪列を構成する部品の数は上記のものだけに制限されず、更に、１つ以上の伝達車を追加してもよい。
【００５８】
１／１０秒クロノグラフ車２７４の回転中心は、地板基準水平軸線３０４の上であって、地板中心３００と、ムーブメント１００の「１２時方向」にある地板１０２の外形部３１２との間の位置にある。１／１０秒クロノグラフ車２７４の回転中心と地板中心３００との間の距離は、地板１０２の最大外形部の半径の３０％〜７０％であるのが好ましく、地板１０２の最大外形部の半径の４５％〜５５％であるのが一層好ましく、地板１０２の最大外形部の半径の約１／２であるのが特に好ましい。
秒クロノグラフ車２５４の回転中心と地板中心３００との間の距離と、分クロノグラフ車２５８の回転中心と地板中心３００との間の距離と、１／１０秒クロノグラフ車２７４の回転中心と地板中心３００との間の距離は、全て等しい値になるように構成されるのが好ましい。
【００５９】
（１・９）第１の実施の形態の作用
次に、本発明のアナログクロノグラフ時計の第１の実施の形態の作用について説明する。
図８を参照すると、サイドクロノグラフ時計のコンプリ−ト２００は、外装ケース２０２を備える。ムーブメント１００、文字板１０４は外装ケース２０２内に収容される。りゅうず２０４は巻真１１０と一体になって回転するように外装ケース２０２に設けられる。りゅうず２０４を１段目に引き出し、りゅうず２０４を回転させることにより、サイドクロノグラフ時計の時刻を合わせることができるように構成される。すなわち、りゅうず２０４を１段目に引き出し巻真１１０を１段目に引き出した状態では、リセットレバー１４０の規正部１４０ｆが、時刻五番車（Ａ）２２０の回転を規正し、リセット導通ばね１４０ｄが回路ブロックのリセットパターンと導通して、アナログクロノグラフ時計をリセットさせる。また、りゅうず２０４を１段目に引き出し巻真１１０を１段目に引き出した状態では、秒針２３４は停止し、りゅうず２０４を回転させることにより、時針２３０および分針２３２を回転させることができる。
【００６０】
サイドクロノグラフ時計のクロノグラフの作動をスタートさせ、ストップさせるためのスタートストップボタン２０６が外装ケース２０２に設けられる。スタートストップボタン２０６を押すと、スイッチばねが動作して、クロノグラフのスタート作動、ストップ作動に関する信号をＩＣ１１６に伝達させるように構成される。サイドクロノグラフ時計のクロノグラフの作動をリセットさせるためのリセットボタン２０８が外装ケース２０２に設けられる。リセットボタン２０８を押すと、スイッチばねが動作して、クロノグラフのリセット作動に関する信号をＩＣ１１６に伝達させるように構成される。
【００６１】
ここで、現在時刻を表示させる作動について説明する。図１〜図３、図７および図８を参照すると、りゅうず２０４を１段目に引き出し、りゅうず２０４を回転させることにより、サイドクロノグラフ時計の時刻を、現在の時刻に合わせ、りゅうず２０４を０段目に押しこむ。この状態で、時刻ロータ（Ａ）２４６が回転し、時刻ロータ（Ａ）２４６の回転に基づいて、時刻五番車（Ａ）２２０の回転を介してサイド用四番車２２１が回転する。サイド用四番車２２１は、１分間に１回転するので、サイド用四番車２２１に取付けられた秒針２３４は、現在時刻のうちの「秒」を表示する。
【００６２】
さらに、サイド用四番車２２１の回転に基づいて、サイド用三番車２２２の回転を介してサイド用二番車２２４が回転する。サイド用二番車２２４は、１時間に１回転するので、サイド用二番車２２４のサイド用筒かな２２４ｂに取付けられた分針２３２は、現在時刻のうちの「分」を表示する。
さらに、サイド用二番車２２４の回転に基づいて、日の裏車２２６の回転を介して筒車２２８が回転する。筒車２２８は、１２時間に１回転するので、筒車２２８に取付けられた時針２３４は、現在時刻のうちの「時」を表示する。
【００６３】
次に、クロノグラフの計測の作動について説明する。図８を参照すると、クロノグラフの計測をストップさせて、リセットした状態では、分クロノグラフ針２５９、秒クロノグラフ針２５５、１／１０秒クロノグラフ針２７５は、いずれも「零位置（初期位置）」にある。すなわち、リセットした状態では、分クロノグラフ針２５９、秒クロノグラフ針２５５、１／１０秒クロノグラフ針２７５は、いずれも「零」を示す位置にある。
【００６４】
図１〜図３、図７および図８を参照すると、スタートストップボタン２０６を押し、クロノグラフの計測をスタートさせると、クロノグラフ計測モードがスタートする。クロノグラフ計測モードにおいて、クロノ分秒ロータ２６６が回転し、クロノ分秒ロータ２６６の回転に基づいて、クロノ分秒五番車２５０が回転する。そして、クロノ分秒五番車２５０の回転に基づいて、秒クロノ中間車（Ａ）２５１および分クロノ中間車（Ａ）２５２が回転する。秒クロノ中間車（Ａ）２５１の回転に基づいて、秒クロノ中間車（Ｂ）２５３の回転を介して秒クロノグラフ車２５４が回転する。クロノグラフ計測モードにおいて、秒クロノグラフ車２５４に取付けられた秒クロノグラフ針２５５は、経過時間のうちの「秒」を表示する。
また、分クロノ中間車（Ａ）２５２の回転に基づいて、分クロノ中間車（Ｂ）２５７の回転を介して分クロノグラフ車２５８が回転する。クロノグラフ計測モードにおいて、分クロノグラフ車２５８に取付けられた分クロノグラフ針２５９は、経過時間のうちの「分」を表示する。
【００６５】
また、クロノグラフ計測モードにおいて、１／１０秒ロータ２８６が回転し、１／１０秒ロータ２８６の回転に基づいて、１／１０秒五番車２７０が回転する。１／１０秒五番車２７０の回転に基づいて、１／１０秒クロノ中間車（Ａ）２７１の回転を介して１／１０秒クロノ中間車（Ｂ）２７２が回転する。１／１０秒クロノ中間車（Ｂ）２７２の回転に基づいて、１／１０秒クロノグラフ車２７４が回転する。クロノグラフ計測モードにおいて、１／１０秒クロノグラフ車２７４に取付けられた１／１０秒クロノグラフ針２７５は、経過時間のうちの「秒」を「１／１０秒単位」で表示するように作動する。
【００６６】
クロノグラフ計測モードにおいて、さらに、スタートストップボタン２０６を押すと、クロノグラフの計測をストップさせることができる。このクロノグラフ計測ストップ状態で、分クロノグラフ針２５９は、経過時間のうちの「分」を表示した状態で停止し、秒クロノグラフ針２５５は、経過時間のうちの「秒」を表示した状態で停止し、１／１０秒クロノグラフ針２７５は、経過時間のうちの「秒」を「１／１０秒単位」で表示した状態で停止する。
クロノグラフ計測ストップ状態で、リセットボタン２０８を押すと、分クロノグラフ針２５９、秒クロノグラフ針２５５、１／１０秒クロノグラフ針２７５は、いずれも「零」を示す位置に戻る（図８参照）。
【００６７】
（２）第２の実施の形態
次に、本発明の第２の実施の形態を説明する。この本発明の第２の実施の形態は、センタークロノグラフ時計である。
以下の説明は、主として、本発明の第２の実施形態が、本発明の第１の実施形態と異なる点について行う。したがって、以下に記載されている内容以外の箇所は、上述した本発明の第１の実施形態についての説明をここに準用することとする。
【００６８】
（２・１）ムーブメントの全体構成
最初に、本発明のアナログクロノグラフ時計のムーブメントの全体構成について説明する。図９〜図１１を参照すると、本発明のアナログクロノグラフ時計は、ムーブメント４００を備える。ムーブメント４００は、ムーブメント４００の基板を構成する地板１０２と、輪列受（Ａ）１０６と、輪列受（Ｂ）１０７と、裏輪列受１０８とを備える。ムーブメント４００に使用される、地板１０２、輪列受（Ａ）１０６、輪列受（Ｂ）１０７、裏輪列受１０８は、前述したムーブメント１００に使用される、地板１０２、輪列受（Ａ）１０６、輪列受（Ｂ）１０７、裏輪列受１０８と、それぞれ同じ部品である。
【００６９】
（２・２）時刻表示用輪列部の構成
次に、時刻表示用輪列部の構成を説明する。時刻表示用輪列部は、時刻表示用輪列駆動用モータおよび時刻表示用輪列を含む
図９〜図１１を参照すると、ムーブメント４００の「表側」には、回路ブロック、電池１２０、センター用時刻輪列部、クロノ時分輪列部、１／５秒輪列部、切換装置などが配置される。センター用二番車４２４が中心パイプ１０３の中心穴に対して回転可能に組み込まれる。センター用二番車４２４は、センター用二番歯車４２４ａとセンター用筒かな４２４ｂとを含む。ムーブメント４００に使用されるセンター用二番車４２４は、前述したムーブメント１００に使用されるサイド用二番車２２４と同じ部品である。
【００７０】
センター用時刻輪列部は、センター用時刻輪列駆動用モータ、すなわち、センター用時刻モータと、センター用時刻輪列とを含む。センター用時刻モータの回転によりセンター用時刻輪列が回転して、時針２３０により現在の時刻のうちの「時」を表示し、分針２３２により現在の時刻のうちの「分」を表示し、秒針（すなわち、小秒針）４３４により現在の時刻のうちの「秒」を表示するように構成される。
【００７１】
センター用時刻モータは、センター用時刻コイルブロック４８２と、センター用時刻ステータ４８４と、センター用時刻ロータ、すなわち時刻ロータ（Ｂ）４８６とを含む。ムーブメント４００に使用される、センター用時刻コイルブロック４８２、センター用時刻ステータ４８４、時刻ロータ（Ｂ）４８６は、それぞれ、前述したムーブメント１００に使用される、１／１０秒コイルブロック２８２、１／１０秒ステータ２８４、１／１０秒ロータ２８６と同じ部品である。
ＩＣ（集積回路）１１６が出力する時刻モータ駆動信号を時刻コイルブロック２４２が入力すると、センター用時刻ステータ４８４が磁化して、時刻ロータ（Ｂ）４８６を回転させる。ＩＣ（集積回路）１１６は、サイドクロノグラフ時計用ＩＣとセンタークロノグラフ時計用ＩＣを別個に製造することもできるし、サイドクロノグラフ時計用とセンタークロノグラフ時計用を同じものとして、２つの機能設定用端子の導通状態を切り換えることによって、１つのＩＣを２つの機能に使い分けることもできる。たとえば、本発明の実施形態では、ＩＣ（集積回路）１１６に、サイドクロノグラフ時計用端子ＴＳと、センタークロノグラフ時計用端子ＴＣとを設け、端子ＴＳを電池１２０のプラスに導通させると、サイドクロノグラフ時計用ＩＣとして作動し、端子ＴＣを電池１２０のプラスに導通させると、センタークロノグラフ時計用ＩＣとして作動するように構成することができる。すなわち、本発明の実施形態では、サイドクロノグラフ時計用ＩＣは、センタークロノグラフ時計用ＩＣと同じ部品である。
【００７２】
時刻ロータ（Ｂ）４８６は、例えば、１秒ごとに１８０度回転するように構成される。時刻ロータ（Ｂ）４８６は、上軸部４８６ａと、下軸部４８６ｂと、かな部４８６ｃと、ロータ磁石４８６ｄとを含む。時刻ロータ（Ｂ）４８６の上軸部４８６ａは、輪列受（Ａ）１０６に設けられた時刻ロータ（Ｂ）上軸受部１０６ａに対して回転可能に組み込まれる。時刻ロータ（Ｂ）上軸受部１０６ａは、前述したムーブメント１００に使用される時刻ロータ（Ａ）上軸受部１０６ａと同じである。時刻ロータ（Ａ）４８６の下軸部４８６ｂは、地板１０２に設けられた時刻ロータ（Ｂ）下軸受部１０２ａに対して回転可能に組み込まれる。時刻ロータ（Ｂ）下軸受部１０２ａは、前述したムーブメント１００に使用される時刻ロータ（Ａ）下軸受部１０２ａと同じである。したがって、時刻ロータ（Ｂ）４８６は、輪列受（Ａ）１０６と地板１０２との間に回転可能に配置される。
【００７３】
時刻ロータ（Ｂ）４８６の回転に基づいて、センター用時刻五番車、すなわち、時刻五番車（Ｂ）４２０が回転するように構成される。ムーブメント４００に使用される時刻五番車（Ｂ）４２０は、前述したムーブメント１００に使用される１／１０秒五番車２７０と同じ部品である。時刻五番車（Ｂ）４２０は、上軸部４２０ａと、下軸部４２０ｂと、上かな部４２０ｃと、歯車部４２０ｄと、下かな部４２０ｆとを含む。時刻五番車（Ｂ）４２０の歯車部４２０ｄは、時刻ロータ（Ｂ）４８６のかな部４８６ｃと噛み合うように構成される。時刻五番車（Ｂ）４２０の上軸部４２０ａは、輪列受（Ａ）１０６に設けられた時刻五番車（Ｂ）上軸受部１０６ｓに対して回転可能に組み込まれる。時刻五番車（Ｂ）上軸受部１０６ｓは、前述したムーブメント１００に使用される１／１０秒五番車上軸受部１０６ｓと同じである。時刻五番車（Ｂ）４２０の下軸部４２０ｂは、地板１０２に設けられた時刻五番車（Ｂ）下軸受部１０２ｓに対して回転可能に組み込まれる。ムーブメント４００に使用される時刻五番車（Ｂ）下軸受部１０２ｓは、前述したムーブメント１００に使用される１／１０秒五番車下軸受部１０２ｓと同じである。したがって、時刻五番車（Ｂ）４２０は、輪列受（Ａ）１０６と地板１０２との間に回転可能に配置される。
【００７４】
時刻五番車（Ｂ）４２０の回転に基づいて、センター用四番車４２１および小秒中間車４３２が回転するように構成される。センター用四番車４２１は、上軸部４２１ａと、下軸部４２１ｂと、かな部４２１ｃと、歯車部４２１ｄとを含む。センター用四番車４２１の歯車部４２１ｄは、時刻五番車（Ｂ）４２０の上かな部４２０ｃと噛み合うように構成される。センター用四番車４２１の上軸部４２１ａは、輪列受（Ａ）１０６に設けられたセンター用四番車上軸受部１０６ｃｃに対して回転可能に組み込まれる。センター用四番車４２１の下軸部４２１ｂは、地板１０２に設けられたセンター用四番車下軸受部１０２ｃｃに対して回転可能に組み込まれる。したがって、センター用四番車４２１は、輪列受（Ａ）１０６と地板１０２との間に回転可能に配置される。
【００７５】
センター用四番車４２１の回転に基づいて、センター用三番車４２２の回転を介してセンター用二番車４２４が回転するように構成される。センター用三番車４２２は、上軸部４２２ａと、下軸部４２２ｂと、かな部４２２ｃと、歯車部４２２ｄとを含む。センター用三番車４２２の歯車部４２２ｄは、センター用四番車４２１のかな部４２１ｃと噛み合うように構成される。センター用三番車４２２の上軸部４２２ａは、輪列受（Ａ）１０６に設けられたセンター用三番車上軸受部１０６ｄｃに対して回転可能に組み込まれる。センター用三番車４２２の下軸部下軸部４２２ｂは、地板１０２に設けられたセンター用三番車下軸受部１０２ｄｃに対して回転可能に組み込まれる。したがって、センター用三番車４２２は、輪列受（Ａ）１０６と地板１０２との間に回転可能に配置される。センター用二番車４２４は、１時間に１回転するように構成される。分針２３２がセンター用二番車４２４のセンター用筒かな４２４ｂに取付けられる。
【００７６】
センター用二番車４２４の回転に基づいて、日の裏車２２６の回転を介して筒車２２８が回転するように構成される。ムーブメント４００に使用される、日の裏車２２６、筒車２２８は、それぞれ、前述したムーブメント１００に使用される、日の裏車２２６、筒車２２８と同じ部品である。筒車２２８の回転中心は、センター用二番車２２４の回転中心と同じ位置にある。しかしながら、センター用四番車４２１の回転中心は、センター用二番車２２４の回転中心と異なる位置にある。筒車２２８は、１２時間に１回転するように構成される。
【００７７】
時刻五番車（Ｂ）４２０の回転に基づいて、小秒中間車（Ａ）４３２が回転するように構成される。小秒中間車（Ａ）４３２は、上軸部４３２ａと、下軸部４３２ｂと、歯車部４３２ｄとを含む。小秒中間車（Ａ）４３２の歯車部４３２ｄは、時刻五番車（Ｂ）４２０の下かな部４２０ｆと噛み合うように構成される。小秒中間車（Ａ）４３２の上軸部４３２ａは、裏輪列受１０８に設けられた小秒中間車（Ａ）上軸受部１０８ｔに対して回転可能に組み込まれる。ムーブメント４００に使用される小秒中間車（Ａ）上軸受部１０８ｔは、前述したムーブメント１００に使用される１／１０秒クロノ中間車（Ａ）上軸受部１０８ｔと同じである。小秒中間車（Ａ）４３２の下軸部４３２ｂは、地板１０２に設けられた小秒中間車（Ａ）下軸受部１０２ｔに対して回転可能に組み込まれる。ムーブメント４００に使用される小秒中間車（Ａ）下軸受部１０２ｔは、前述したムーブメント１００に使用される１／１０秒クロノ中間車（Ａ）下軸受部１０２ｔと同じである。したがって、小秒中間車（Ａ）４３２は、裏輪列受１０８と地板１０２との間に回転可能に配置される。
【００７８】
小秒中間車（Ａ）４３２の回転に基づいて、小秒中間車（Ｂ）４３４の回転を介して小秒車４３６が回転するように構成される。小秒中間車（Ａ）４３２の寸法・形状は、小秒中間車（Ｂ）４３４の寸法・形状と同じように構成される。さらに、小秒中間車（Ａ）４３２の寸法・形状、小秒中間車（Ｂ）４３４の寸法・形状、秒クロノ中間車（Ａ）２５１の寸法・形状、秒クロノ中間車（Ｂ）２５３の寸法・形状と同じである。
小秒中間車（Ｂ）４３４は、上軸部４３４ａと、下軸部４３４ｂと、歯車部４３４ｄとを含む。小秒中間車（Ｂ）４３４の歯車部４３４ｄは、小秒中間車（Ａ）４３２の歯車部４３２ｄと噛み合うように構成される。小秒中間車（Ｂ）４３４の上軸部４３４ａは、裏輪列受１０８に設けられた小秒中間車（Ｂ）上軸受部１０８ｕに対して回転可能に組み込まれる。ムーブメント４００に使用される小秒中間車（Ｂ）上軸受部１０８ｕは、前述したムーブメント１００に使用される１／１０秒クロノ中間車（Ｂ）上軸受部１０８ｕと同じである。小秒中間車（Ｂ）４３４の下軸部４３４ｂは、地板１０２に設けられた小秒中間車（Ｂ）下軸受部１０２ｕに対して回転可能に組み込まれる。ムーブメント４００に使用される小秒中間車（Ｂ）下軸受部１０２ｕは、前述したムーブメント１００に使用される１／１０秒クロノ中間車（Ｂ）下軸受部１０２ｕと同じである。したがって、小秒中間車（Ｂ）４３４は、裏輪列受１０８と地板１０２との間に回転可能に配置される。
【００７９】
小秒車４３６は、上軸部４３６ａと、下軸部４３６ｂと、歯車部４３６ｄとを含む。小秒車４３６の歯車部４３６ｄは、小秒中間車（Ｂ）４３４の歯車部４３４ｄと噛み合うように構成される。小秒車４３６の上軸部４３６ａは、裏輪列受１０８に設けられた小秒車上軸受部１０８ｖに対して回転可能に組み込まれる。ムーブメント４００に使用される小秒車上軸受部１０８ｖは、前述したムーブメント１００に使用される１／１０秒クロノグラフ車上軸受部１０２ｖと同じである。小秒車４３６の下軸部４３６ｂは、地板１０２に設けられた小秒車下軸受部１０２ｖに対して回転可能に組み込まれる。ムーブメント４００に使用される小秒車下軸受部１０２ｖは、前述したムーブメント１００に使用される１／１０秒クロノグラフ車下軸受部１０２ｖと同じである。したがって、小秒車４３６は、裏輪列受１０８と地板１０２との間に回転可能に配置される。小秒針４３８が小秒車４３６に取付けられる。小秒針４３８は秒表示部材を構成する。
図９を参照すると、小秒車４３６の回転中心は、地板基準水平軸線３０４の上であって、地板中心３００と、ムーブメント４００の「１２時方向」にある地板１０２の外形部３１２との間の位置にある。小秒車４３６の回転中心と地板中心３００との間の距離は、地板１０２の最大外形部の半径の約１／２である。
【００８０】
図９および図１１を参照すると、リセットレバー１４０’は、リセット作動を行うためのリセット導通ばね１４０ｄと、規正レバー４４０を保持する規正レバー保持部１４２と、規正レバー４４０を作動させるための作動ばね１４３とを含む。リセットレバー１４０’の寸法・形状は、規正部１４０ｆがないことを除いて、前述したムーブメント１００に使用されるリセットレバー１４０の寸法・形状と同じにすることができる。
巻真１１０を１段目に引き出した状態では、リセットレバー１４０’のリセット導通ばね１４０ｄが回路ブロックのリセットパターンと導通することにより、アナログクロノグラフ時計をリセットさせることができるように構成される。巻真１１０を１段目に引き出した状態で、リセットレバー１４０’の作動に基づいて、規正レバー４４０が、小秒中間車（Ｂ）４３４の回転を規正することができるように構成される。規正レバー４４０は、長穴形状をもつ案内窓部４４０ｆおよび４４０ｇと、リセットレバー１４０’の作動ばね１４３が挿入される作動窓部４４０ｈと、小秒中間車（Ｂ）４３４の回転を規正するための規正部４４０ｋとを含む。規正レバー４４０の案内窓部４４０ｆ、４４０ｇにそれぞれ挿入される２つのガイドピン１７０ｐ、１７２ｐが地板１０２に設けられる。規正レバー４４０の案内窓部４４０ｆは、地板１０２のガイドピン１７０ｐに案内される。規正レバー４４０の案内窓部４４０ｇは、地板１０２のガイドピン１７２ｐに案内される。したがって、規正レバー４４０は、地板１０２に対して直線移動可能なように地板１０２に組み込まれる。
【００８１】
規正レバー４４０は、電池１２０に重ならないように配置される。また、規正レバー４４０は、針を取り付けた部品に重ならないように配置される。規正レバー４４０の作動窓部４４０ｈには、リセットレバー１４０’の作動ばね１４３が挿入される。巻真を１段目に引き出すとリセットレバー１４０’が回転する。リセットレバー１４０’が回転すると、作動ばね１４３の回転により、規正レバー４４０は、ガイドピン１７０ｐ、１７２ｐに案内されて直線移動することができる。規正レバー４４０が直線移動すると、規正レバー４４０の規正部４４０ｋは小秒中間車（Ｂ）４３４の回転を規正することができる。
【００８２】
（２・３）クロノ時分表示用輪列部の構成
次に、本発明のアナログクロノグラフ時計において、クロノグラフ計測モードで作動するクロノ時分表示用輪列部の構成を説明する。クロノ時分表示用輪列部は、クロノ時分表示用輪列駆動用のモータと、クロノ時分表示用輪列とを含む。
図９を参照すると、クロノ時分表示用輪列部は、クロノ時分表示用輪列駆動用モータ、すなわち、クロノ時分モータと、クロノ時分表示輪列とを含む。クロノ時分モータの回転によりクロノ時分表示用輪列が回転して、クロノグラフ分針によりクロノグラフ計測モードにおいて計測した経過時間のうちの「クロノグラフ分」を表示し、クロノグラフ時針によりクロノグラフ計測モードにおいて計測した経過時間のうちの「クロノグラフ時」を表示するように構成される。クロノグラフ計測モードにおいて、ＩＣ（集積回路）１１６は、経過時間を計測して、クロノ時分モータを作動させるように構成される。
【００８３】
クロノ時分モータは、クロノ時分コイルブロック４６２と、クロノ時分ステータ４６４と、クロノ時分ロータ４６６とを含む。ムーブメント４００に使用される、クロノ時分コイルブロック４６２、クロノ時分ステータ４６４、クロノ時分ロータ４６６は、それぞれ、前述したムーブメント１００に使用される、クロノ分秒コイルブロック２６２、クロノ分秒ステータ２６４、クロノ分秒ロータ２６６と同じ部品である。
【００８４】
ＩＣ（集積回路）１１６が出力するクロノ時分モータ駆動信号をクロノ時分コイルブロック４６２が入力すると、クロノ時分ステータ４６４が磁化して、クロノ時分ロータ４６６を回転させる。クロノ時分ロータ４６６は、例えば、１分ごとに１８０度回転するように構成される。クロノ時分ロータ４６６は、１０秒、２０秒、或いは、３０秒ごとに１８０度回転するように構成することもできる。クロノ時分ロータ４６６は、上軸部と、下軸部と、かな部と、ロータ磁石とを含む。クロノ時分ロータ４６６の上軸部は、輪列受（Ｂ）１０７に設けられたクロノ時分ロータ上軸受部１０７ｆに対して回転可能に組み込まれる。ムーブメント４００に使用されるクロノ時分ロータ上軸受部１０７ｆは、前述したムーブメント１００に使用されるクロノ分秒ロータ上軸受部１０７ｆと同じである。クロノ時分ロータ４６６の下軸部は、地板１０２に設けられたクロノ時分ロータ下軸受部１０２ｆに対して回転可能に組み込まれる。ムーブメント４００に使用されるクロノ時分ロータ下軸受部１０２ｆは、前述したムーブメント１００に使用されるクロノ分秒ロータ下軸受部１０２ｆと同じである。したがって、クロノ時分ロータ４６６は、輪列受（Ｂ）１０７と地板１０２との間に回転可能に配置される。
【００８５】
クロノ時分ロータ４６６の回転に基づいて、クロノ時分五番車４５０が回転するように構成される。クロノ時分五番車４５０の回転に基づいて、分クロノ中間車（Ｃ）４５１および秒クロノ中間車（Ａ）４５２が回転するように構成される。クロノ時分五番車４５０は、上軸部と、下軸部と、かな部と、歯車部とを含む。クロノ時分五番車４５０の歯車部は、クロノ時分ロータ４６６のかな部と噛み合うように構成される。クロノ時分五番車４５０の上軸部は、輪列受（Ｂ）１０７に設けられたクロノ時分五番車上軸受部１０７ｇに対して回転可能に組み込まれる。ムーブメント４００に使用されるクロノ時分五番車上軸受部１０７ｇは、前述したムーブメント１００に使用されるクロノ分秒五番車上軸受部１０７ｇと同じである。クロノ時分五番車４５０の下軸部は、地板１０２に設けられたクロノ時分五番車下軸受部１０２ｇに対して回転可能に組み込まれる。ムーブメント４００に使用されるクロノ時分五番車下軸受部１０２ｇは、前述したムーブメント１００に使用されるクロノ分秒五番車下軸受部１０２ｇと同じである。したがって、クロノ時分五番車４５０は、輪列受（Ｂ）１０７と地板１０２との間に回転可能に配置される。
【００８６】
分クロノ中間車（Ｃ）４５１の回転に基づいて、分クロノ中間車（Ｄ）４５３の回転を介して分クロノグラフ車４５４が回転するように構成される。分クロノ中間車（Ｃ）４５１の寸法・形状は、分クロノ中間車（Ｄ）４５３の寸法・形状と同じように構成される。また、分クロノ中間車（Ｃ）４５１の寸法・形状、分クロノ中間車（Ｄ）４５３の寸法・形状、秒クロノ中間車（Ａ）２５１の寸法・形状は、秒クロノ中間車（Ｂ）２５３の寸法・形状は、すべて同じである。
分クロノ中間車（Ｃ）４５１は、上軸部と、下軸部と、歯車部とを含む。分クロノ中間車（Ｃ）４５１の歯車部は、クロノ時分五番車４５０のかな部と噛み合うように構成される。分クロノ中間車（Ｃ）４５１の上軸部は、裏輪列受１０８に設けられた分クロノ中間車（Ｃ）上軸受部１０８ｈに対して回転可能に組み込まれる。ムーブメント４００に使用される分クロノ中間車（Ｃ）上軸受部１０８ｈは、前述したムーブメント１００に使用される秒クロノ中間車（Ａ）上軸受部１０８ｈと同じである。分クロノ中間車（Ｃ）４５１の下軸部は、地板１０２に設けられた分クロノ中間車（Ｃ）下軸受部１０２ｈに対して回転可能に組み込まれる。ムーブメント４００に使用される分クロノ中間車（Ｃ）下軸受部１０２ｈは、前述したムーブメント１００に使用される秒クロノ中間車（Ａ）下軸受部１０２ｈと同じである。したがって、分クロノ中間車（Ｃ）４５１は、裏輪列受１０８と地板１０２との間に回転可能に配置される。
【００８７】
分クロノ中間車（Ｄ）４５３は、上軸部と、下軸部と、歯車部とを含む。分クロノ中間車（Ｄ）４５３の歯車部は、分クロノ中間車（Ｃ）４５１の歯車部と噛み合うように構成される。分クロノ中間車（Ｄ）４５３の上軸部は、裏輪列受１０８に設けられた分クロノ中間車（Ｄ）上軸受部１０８ｊに対して回転可能に組み込まれる。ムーブメント４００に使用される分クロノ中間車（Ｄ）上軸受部１０８ｊは、前述したムーブメント１００に使用される秒クロノ中間車（Ｂ）上軸受部１０８ｊと同じである。分クロノ中間車（Ｄ）４５３の下軸部は、地板１０２に設けられた分クロノ中間車（Ｄ）下軸受部１０２ｊに対して回転可能に組み込まれる。ムーブメント４００に使用される分クロノ中間車（Ｄ）下軸受部１０２ｊは、前述したムーブメント１００に使用される秒クロノ中間車（Ｂ）下軸受部１０２ｊと同じである。したがって、分クロノ中間車（Ｄ）４５３は、裏輪列受１０８と地板１０２との間に回転可能に配置される。
【００８８】
分クロノ中間車（Ｄ）４５３の回転に基づいて、分クロノグラフ車４５４が回転するように構成される。分クロノグラフ車４５４は、上軸部と、下軸部と、歯車部とを含む。分クロノグラフ車４５４の歯車部は、分クロノ中間車（Ｄ）４５３の歯車部と噛み合うように構成される。分クロノグラフ車４５４の上軸部は、裏輪列受１０８に設けられた分クロノグラフ車上軸受部１０８ｋに対して回転可能に組み込まれる。ムーブメント４００に使用される分クロノグラフ車上軸受部１０８ｋは、前述したムーブメント１００に使用される秒クロノグラフ車上軸受部１０８ｋと同じである。分クロノグラフ車４５４の下軸部は、地板１０２に設けられた分クロノグラフ車下軸受部１０２ｋに対して回転可能に組み込まれる。ムーブメント４００に使用される分クロノグラフ車下軸受部１０２ｋは、前述したムーブメント１００に使用される秒クロノグラフ車下軸受部１０２ｋと同じである。したがって、分クロノグラフ車４５４は、裏輪列受１０８と地板１０２との間に回転可能に配置される。分クロノグラフ針４５５（後述するコンプリートの図面参照）が分クロノグラフ車４５４に取付けられる。分クロノグラフ針４５５は分クロノグラフ表示部材を構成する。クロノグラフ計測モードにおいて、分クロノグラフ針４５５は、経過時間のうちの「分」を表示するように作動する。
【００８９】
図９を参照すると、分クロノグラフ車４５４の回転中心は、地板基準水平軸線３０４の上であって、地板中心３００と、ムーブメント４００の「６時方向」にある地板１０２の外形部３０６との間の位置にある。分クロノグラフ車４５４の回転中心と地板中心３００との間の距離は、地板１０２の最大外形部の半径の約１／２である。
【００９０】
時クロノ中間車（Ａ）４５２の回転に基づいて、時クロノ中間車（Ｂ）４５７の回転を介して時クロノグラフ車４５８が回転するように構成される。時クロノ中間車（Ａ）４５２は、上軸部と、下軸部と、かな部と、歯車部とを含む。時クロノ中間車（Ａ）４５２の歯車部は、クロノ時分五番車４５０のかな部と噛み合うように構成される。時クロノ中間車（Ａ）４５２の上軸部は、裏輪列受１０８に設けられた時クロノ中間車（Ａ）上軸受部１０８ｍに対して回転可能に組み込まれる。ムーブメント４００に使用される時クロノ中間車（Ａ）上軸受部１０８ｍは、前述したムーブメント１００に使用される分クロノ中間車（Ａ）上軸受部１０８ｍと同じである。時クロノ中間車（Ａ）４５２の下軸部は、地板１０２に設けられた時クロノ中間車（Ａ）下軸受部１０２ｍに対して回転可能に組み込まれる。ムーブメント４００に使用される時クロノ中間車（Ａ）下軸受部１０２ｍは、前述したムーブメント１００に使用される分クロノ中間車（Ａ）下軸受部１０２ｍと同じである。したがって、時クロノ中間車（Ａ）４５２は、裏輪列受１０８と地板１０２との間に回転可能に配置される。
【００９１】
時クロノ中間車（Ｂ）４５７は、上軸部と、下軸部と、かな部と、歯車部とを含む。時クロノ中間車（Ｂ）４５７は、時クロノ中間車（Ａ）４５２のかな部と噛み合うように構成される。時クロノ中間車（Ｂ）４５７の上軸部は、裏輪列受１０８に設けられた時クロノ中間車（Ｂ）上軸受部１０８ｎに対して回転可能に組み込まれる。ムーブメント４００に使用される時クロノ中間車（Ｂ）上軸受部１０８ｎは、前述したムーブメント１００に使用される分クロノ中間車（Ａ）上軸受部１０８ｎと同じである。時クロノ中間車（Ｂ）４５７の下軸部は、地板１０２に設けられた時クロノ中間車（Ｂ）下軸受部１０２ｎに対して回転可能に組み込まれる。ムーブメント４００に使用される時クロノ中間車（Ａ）下軸受部１０２ｎは、前述したムーブメント１００に使用される分クロノ中間車（Ａ）下軸受部１０８ｎと同じである。したがって、時クロノ中間車（Ｂ）４５７は、裏輪列受１０８と地板１０２との間に回転可能に配置される。
【００９２】
時クロノグラフ車４５８は、上軸部と、下軸部と、歯車部とを含む。時クロノグラフ車４５８の歯車部は、分クロノ中間車（Ｂ）２５７の歯車部と噛み合うように構成される。時クロノグラフ車４５８の上軸部は、裏輪列受１０８に設けられた時クロノグラフ車上軸受部１０８ｐに対して回転可能に組み込まれる。ムーブメント４００に使用される時クロノグラフ車上軸受部１０８ｐは、前述したムーブメント１００に使用される分クロノグラフ車上軸受部１０８ｐと同じである。時クロノグラフ車４５８の下軸部は、地板１０２に設けられた時クロノグラフ車下軸受部１０２ｐに対して回転可能に組み込まれる。ムーブメント４００に使用される時クロノグラフ車下軸受部１０２ｐは、前述したムーブメント１００に使用される分クロノグラフ車下軸受部１０２ｐと同じである。したがって、時クロノグラフ車４５８は、裏輪列受１０８と地板１０２との間に回転可能に配置される。時クロノグラフ針４５９（後述するコンプリートの図面参照）が時クロノグラフ車４５８に取付けられる。時クロノグラフ針４５９は時クロノグラフ表示部材を構成する。クロノグラフ計測モードにおいて、時クロノグラフ針４５９は、経過時間のうちの「時」を表示するように作動する。
【００９３】
図１を参照すると、時クロノグラフ車４５８の回転中心は、地板基準垂直軸線３０２の上であって、地板中心３００と、ムーブメント４００の「９時方向」にある地板１０２の外形部３０９との間の位置にある。時クロノグラフ車４５８の回転中心と地板中心３００との間の距離は、地板１０２の最大外形部の半径の約１／２である。
【００９４】
（２・４）１／５秒表示用輪列部の構成
次に、本発明のアナログクロノグラフ時計において、クロノグラフ計測モードで作動する１／５秒表示用輪列部の構成を説明する。１／１０秒表示用輪列部は、１／１０秒表示用輪列駆動用のモータと、１／５秒表示用輪列とを含む。
図９および図１０を参照すると、１／５秒モータは、１／５秒コイルブロック４４２と、１／５秒ステータ４４４と、１／５秒ロータ４４６とを含む。
ムーブメント４００に使用される、１／５秒コイルブロック４４２、１／５秒ロータ４４６は、それぞれ、前述したムーブメント１００に使用される、サイド用時刻コイルブロック２４２、時刻ロータ（Ａ）２４６と同じ部品である。ムーブメント４００に使用される１／５秒ステータ４４４の寸法・形状は、時刻ロータ（Ａ）２４６の回転を制御するためのノッチ部分の形状を除いて、前述したムーブメント１００に使用されるサイド用時刻ステータ２４４の寸法・形状と同じである。
ＩＣ（集積回路）１１６が出力する１／５秒モータ駆動信号を１／５秒コイルブロック４４２が入力すると、１／５秒ステータ４４４が磁化して、１／５秒ロータ４４６を回転させる。１／５秒ロータ４４６は、例えば、１／５秒ごとに１８０度回転するように構成される。１／５秒ロータ４４６は、上軸部と、下軸部と、かな部と、ロータ磁石とを含む。１／５秒ロータ４４６の上軸部は、輪列受（Ａ）１０６に設けられた１／５秒ロータ上軸受部１０６ａに対して回転可能に組み込まれる。ムーブメント４００に使用される１／５秒ロータ上軸受部１０６ａは、前述したムーブメント１００に使用される時刻ロータ（Ａ）上軸受部１０６ａと同じである。１／５秒ロータ４４６の下軸部は、地板１０２に設けられた１／５秒ロータ下軸受部１０２ａに対して回転可能に組み込まれる。ムーブメント４００に使用される１／５秒ロータ下軸受部１０２ａは、前述したムーブメント１００に使用される時刻ロータ（Ａ）下軸受部１０２ａと同じである。したがって、１／５秒ロータ４４６は、輪列受（Ａ）１０６と地板１０２との間に回転可能に配置される。
【００９５】
１／５秒ロータ４４６の回転に基づいて、１／５ＣＧ中間車（Ａ）４７０が回転するように構成される。１／５ＣＧ中間車（Ａ）４７０は、上軸部と、下軸部と、かな部と、歯車部とを含む。１／５ＣＧ中間車（Ａ）４７０の歯車部は、１／５秒ロータ４４６のかな部と噛み合うように構成される。１／５ＣＧ中間車（Ａ）４７０の上軸部は、輪列受（Ａ）１０６に設けられた１／５ＣＧ中間車（Ａ）上軸受部１０６ｆｃ（後述する輪列受（Ａ）の図面参照）に対して回転可能に組み込まれる。１／５ＣＧ中間車（Ａ）４７０の下軸部は、地板１０２に設けられた１／５ＣＧ中間車（Ａ）下軸受部１０２ｆｃ（後述する地板の図面参照）に対して回転可能に組み込まれる。したがって、１／５ＣＧ中間車（Ａ）４７０は、輪列受（Ａ）１０６と地板１０２との間に回転可能に配置される。
【００９６】
１／５ＣＧ中間車（Ａ）４７０の回転に基づいて、１／５ＣＧ中間車（Ｂ）４７２の回転を介して１／５ＣＧ車４７６が回転するように構成される。１／５ＣＧ中間車（Ｂ）４７２は、上軸部と、下軸部と、歯車部とを含む。１／５ＣＧ中間車（Ｂ）４７２の歯車部は、１／５ＣＧ中間車（Ａ）４７０のかな部と噛み合うように構成される。１／５ＣＧ中間車（Ｂ）４７２の上軸部は、輪列受（Ａ）１０６に設けられた１／５ＣＧ中間車（Ｂ）上軸受部１０６ｇｃ（後述する輪列受の図面参照）に対して回転可能に組み込まれる。１／５ＣＧ中間車（Ｂ）４７２の下軸部は、地板１０２に設けられた１／５ＣＧ中間車（Ｂ）下軸受部１０２ｇｃ（後述する地板の図面参照）に対して回転可能に組み込まれる。したがって、１／５ＣＧ中間車（Ｂ）４７２は、輪列受（Ａ）１０６と地板１０２との間に回転可能に配置される。
【００９７】
１／５ＣＧ車４７６は、上軸部４７６ａと、下軸部に設けられたそろばん玉部４７６ｂと、中間軸部４７６ｃと、歯車部４７６ｄとを含む。１／５ＣＧ車４７６の歯車部２２１ｄは、１／５ＣＧ中間車（Ｂ）４７２のかな部２２０ｃと噛み合うように構成される。１／５ＣＧ車４７６の上軸部４７６は、輪列受（Ａ）１０６に設けられた１／５ＣＧ車上軸受部１０６ｃに対して回転可能に組み込まれる。ムーブメント４００に使用される１／５ＣＧ車上軸受部１０６ｃは、前述したムーブメント１００に使用されるサイド用四番車上軸受部１０６ｃと同じである。１／５ＣＧ車４７６のそろばん玉部４７６ｂはセンター用筒かな４２４ｂの中心穴の内部に回転可能に配置される。１／５ＣＧ車４７６の回転中心は、地板中心３００である。１／５ＣＧ車４７６は、１／５秒間に１ステップ回転するように構成される。１／５秒クロノグラフ針４７５が１／５ＣＧ車４７６に取付けられる。１／５秒クロノグラフ針４７５は、１／５秒クロノグラフ表示部材（１／５ＣＧ表示部材）を構成する。
【００９８】
ムーブメント４００においては、前述したムーブメント１００に使用されるサイド用四番車押えばね２３１は使用しない。
変形例として、ＩＣ、ステップモータ、輪列の仕様を変更して、１／５秒間に１ステップ回転する１／５ＣＧ車４７６のかわりに、１秒間に１ステップ回転する１秒ＣＧ車、又は、１／２秒間に１ステップ回転する１／２ＣＧ車、又は、１／４秒間に１ステップ回転する１／４ＣＧ車などを設けることもできる。
【００９９】
（２・５）地板の構成
図４を参照すると、分クロノグラフ車下軸受部１０２ｋは、地板１０２において、地板基準水平軸線３０４の上であって、地板中心３００と、ムーブメント４００の「６時方向」にある地板１０２の外形部３０６との間の位置にある。
【０１００】
１／５秒ロータ下軸受部１０２ａ、１／５ＣＧ中間車（Ａ）下軸受部１０２ｆｃ、１／５ＣＧ中間車（Ｂ）下軸受部１０２ｇｃは、地板１０２において、第３領域３３０に配置される。
クロノ時分ロータ下軸受部１０２ｆ、クロノ時分五番車下軸受部１０２ｇ、分クロノ中間車（Ａ）下軸受部１０２ｈ、分クロノ中間車（Ｂ）下軸受部１０２ｊ、時クロノ中間車（Ａ）下軸受部１０２ｍ、時クロノ中間車（Ｂ）下軸受部１０２ｎは、地板１０２において、第３領域３３０に配置される。
時クロノグラフ車下軸受部１０２ｐは、地板１０２において、地板基準垂直軸線３０２の上であって、地板中心３００と、ムーブメント１００の「９時方向」にある地板１０２の外形部３０９との間の位置にある。
【０１０１】
時刻ロータ（Ｂ）下軸受部１０２ｒ、時刻五番車（Ｂ）下軸受部１０２ｓ、センター用四番車下軸受部１０２ｃｃ、センター用三番車下軸受部１０２ｄｃ、小秒中間車（Ａ）下軸受部１０２ｔ、小秒中間車（Ｂ）下軸受部１０２ｕは、地板１０２において、第４領域３４０に配置される。
小秒車下軸受部１０２ｖは、地板１０２において、地板基準水平軸線３０４の上であって、地板中心３００と、ムーブメント１００の「１２時方向」にある地板１０２の外形部３１２との間の位置にある。
ガイドピン１７０ｐは第１領域３１０に配置される。ガイドピン１７２ｐは第４領域３４０に配置される。
このように構成することにより、ムーブメント４００に使用される地板１０２は、前述したムーブメント１００に使用される地板１０２と同じものとすることができる。すなわち、ムーブメント４００に使用される地板と、ムーブメント１００に使用される地板とを兼用にすることができる。
【０１０２】
（２・６）輪列受（Ａ）、輪列受（Ｂ）の構成
図５を参照すると、１／５秒ロータ上軸受部１０６ａ、１／５ＣＧ中間車（Ａ）上軸受部１０２ｆｃ、１／５ＣＧ中間車（Ｂ）上軸受部１０２ｇｃは、輪列受（Ａ）１０６において、第３領域３３０に配置される。
クロノ時分ロータ上軸受部１０７ｆ、クロノ時分五番車上軸受部１０７ｇは、輪列受（Ｂ）１０７において、第３領域３３０に配置される。
分クロノ中間車（Ａ）上軸受部１０６ｈ、分クロノ中間車（Ｂ）上軸受部１０６ｊ、時クロノ中間車（Ａ）上軸受部１０６ｍ、時クロノ中間車（Ｂ）上軸受部１０６ｎは、輪列受（Ａ）１０６において、第３領域３３０に配置される。
時刻ロータ（Ｂ）上軸受部１０６ｒ、時刻五番車（Ｂ）上軸受部１０２ｓ、センター用四番車上軸受部１０２ｃｃ、センター用三番車上軸受部１０２ｄｃは、輪列受（Ａ）１０６において、第４領域３４０に配置される。
このように構成することにより、ムーブメント４００に使用される輪列受（Ａ）１０６、輪列受（Ｂ）１０７は、前述したムーブメント１００に使用される輪列受（Ａ）１０６、輪列受（Ｂ）１０７とそれぞれ同じものとすることができる。
【０１０３】
（２・７）裏輪列受の構成
図６を参照すると、分クロノグラフ車上軸受部１０８ｋは、裏輪列受１０８において、地板基準水平軸線３０４の上であって、地板中心３００と、ムーブメント４００の「６時方向」にある裏輪列受１０８の外形部との間の位置にある。
分クロノ中間車（Ａ）上軸受部１０８ｈ、分クロノ中間車（Ｂ）上軸受部１０８ｊ、時クロノ中間車（Ａ）上軸受部１０８ｍ、時クロノ中間車（Ｂ）上軸受部１０８ｎは、裏輪列受１０８において、第３領域３３０に配置される。
時クロノグラフ車上軸受部１０８ｐは、裏輪列受１０８において、地板基準垂直軸線３０２の上であって、地板中心３００と、ムーブメント４００の「９時方向」にある裏輪列受１０８の外形部との間の位置にある。
小秒中間車（Ａ）上軸受部１０８ｔ、小秒中間車（Ｂ）上軸受部１０８ｕは、裏輪列受１０８において、第４領域３４０に配置される。
小秒車上軸受部１０８ｖは、裏輪列受１０８において、地板基準水平軸線３０４の上であって、地板中心３００と、ムーブメント４００の「１２時方向」にある裏輪列受１０８の外形部との間の位置にある。
このように構成することにより、ムーブメント４００に使用される裏輪列受１０８は、前述したムーブメント１００に使用される裏輪列受１０８と同じものとすることができる。すなわち、ムーブメント４００に使用される裏輪列受と、ムーブメント１００に使用される裏輪列受とを兼用にすることができる。
【０１０４】
（２・８）ムーブメントにおける部品の配置
次に、ムーブメント４００における部品の好ましい配置について説明する。
図１を参照すると、リセットレバー１４０’の回転中心１４０ｃは、第２領域３２０に配置される。規正レバー４４０は第１領域３１０および第４領域３４０に配置される。リセットレバー１４０’が規正レバー４４０に接触する位置は第１領域３１０に配置される。規正レバー４４０が小秒中間車（Ｂ）４３４を規正する位置は、ムーブメント４００の裏側において、第４領域３４０に配置される。リセットレバー１４０’がリセットの作動を行う位置は、ムーブメント４００の表側において、第２領域３２０に配置される。このように構成することにより、小秒針を作動させるための輪列の回転を確実に規正する規正レバー４４０をムーブメント４００の表側に効果的に配置することができる。
【０１０５】
１／５秒コイルブロック４４２のコイルブロック中心４４２ｃは、第３領域３３０に配置されるのがよい。１／５秒ロータ４４６の回転中心、１／５ＣＧ中間車（Ａ）４７０の回転中心、１／５ＣＧ中間車（Ｂ）４７２の回転中心は、第３領域３３０に配置されるのがよい。日の裏車２２６の回転中心は、第２領域３２０に配置されるのがよい。
クロノ時分コイルブロック４６２のコイルブロック中心４６２ｃは、第３領域３３０に配置されるのがよい。クロノ時分ロータ４６６の回転中心、クロノ時分五番車４５０の回転中心、分クロノ中間車（Ｃ）４５１の回転中心、分クロノ中間車（Ｄ）４５３の回転中心、時クロノ中間車（Ａ）４５２の回転中心、時クロノ中間車（Ｂ）４５７の回転中心は、第３領域３３０に配置されるのがよい。クロノ時分コイルブロック４６２のコイルブロック中心４６２ｃは、第３領域３３０において、１／５秒コイルブロック４４２のコイルブロック中心４４２ｃより外側に配置される。クロノ時分ロータ４６６の回転中心は、第３領域３３０において、１／５秒ロータ４４６の回転中心より外側に配置される。
【０１０６】
分クロノグラフ車４５４の回転中心は、地板基準水平軸線３０４の上であって、地板中心３００と、ムーブメント４００の「６時方向」にある地板１０２の外形部３０６との間の位置にある。分クロノグラフ車４５４の回転中心と地板中心３００との間の距離は、地板１０２の最大外形部の半径の３０％〜７０％であるのが好ましく、地板１０２の最大外形部の半径の４５％〜５５％であるのが一層好ましく、地板１０２の最大外形部の半径の約１／２であるのが特に好ましい。また、時クロノグラフ車４５８の回転中心は、地板基準垂直軸線３０２の上であって、地板中心３００と、ムーブメント４００の「９時方向」にある地板１０２の外形部３０９との間の位置にある。時クロノグラフ車４５８の回転中心と地板中心３００との間の距離は、地板１０２の最大外形部の半径の３０％〜７０％であるのが好ましく、地板１０２の最大外形部の半径の４５％〜５５％であるのが一層好ましく、地板１０２の最大外形部の半径の約１／２であるのが特に好ましい。
【０１０７】
センター用時刻コイルブロック４８２のコイルブロック中心４８２ｃは、第４領域３４０に配置されるのがよい。時刻ロータ（Ｂ）４８６の回転中心、時刻五番車（Ｂ）４２０の回転中心、小秒中間車（Ａ）４３２の回転中心、小秒中間車（Ｂ）４３４の回転中心、センター用四番車４２１の回転中心、センター用三番車４２２の回転中心、は、第４領域３４０に配置されるのがよい。このように構成することにより、複数のコイルブロックと、複数の輪列とを、ムーブメントの表側に効果的に配置することができる。ここで、輪列を構成する部品の数は上記のものだけに制限されず、更に、１つ以上の伝達車を追加してもよい。
【０１０８】
小秒車４３６の回転中心は、地板基準水平軸線３０４の上であって、地板中心３００と、ムーブメント４００の「１２時方向」にある地板１０２の外形部３１２との間の位置にある。小秒車４３６の回転中心と地板中心３００との間の距離は、地板１０２の最大外形部の半径の３０％〜７０％であるのが好ましく、地板１０２の最大外形部の半径の４５％〜５５％であるのが一層好ましく、地板１０２の最大外形部の半径の約１／２であるのが特に好ましい。
分クロノグラフ車４５４の回転中心と地板中心３００との間の距離と、時クロノグラフ車４５８の回転中心と地板中心３００との間の距離と、小秒車４３６の回転中心と地板中心３００との間の距離は、全て等しい値になるように構成されるのが好ましい。
【０１０９】
（２・９）第２の実施の形態の作用
次に、本発明のアナログクロノグラフ時計の第２の実施の形態の作用について説明する。
図１３を参照すると、センタークロノグラフ時計のコンプリ−ト５００は、外装ケース２０２を備える。本発明のアナログクロノグラフ時計の第２の実施の形態に使用される外装ケース２０２は、前述した本発明のアナログクロノグラフ時計の第１の実施の形態に使用される外装ケース２０２と同じものであってもよいし、別個のものであってもよい。ムーブメント４００、文字板１０４は外装ケース２０２内に収容される。本発明のアナログクロノグラフ時計の第２の実施の形態に使用される文字板１０４は、前述した本発明のアナログクロノグラフ時計の第１の実施の形態に使用される文字板１０４と同じものであってもよいし、別個のものであってもよい。
りゅうず２０４は巻真１１０と一体になって回転するように外装ケース２０２に設けられる。りゅうず２０４を１段目に引き出し、りゅうず２０４を回転させることにより、センタークロノグラフ時計の時刻を合わせることができるように構成される。すなわち、りゅうず２０４を１段目に引き出すと、小秒針４３８は停止し、りゅうず２０４を回転させることにより、時針２３０および分針２３２を回転させることができるように構成される。
【０１１０】
センタークロノグラフ時計のクロノグラフの作動をスタートさせ、ストップさせるためのスタートストップボタン２０６が外装ケース２０２に設けられる。スタートストップボタン２０６を押すと、スイッチばねが動作して、クロノグラフのスタート作動、ストップ作動に関する信号をＩＣ１１６に伝達させるように構成される。センタークロノグラフ時計のクロノグラフの作動をリセットさせるためのリセットボタン２０８が外装ケース２０２に設けられる。リセットボタン２０８を押すと、スイッチばねが動作して、クロノグラフのリセット作動に関する信号をＩＣ１１６に伝達させるように構成される。
【０１１１】
ここで、現在時刻を表示させる作動について説明する。図９〜図１３を参照すると、りゅうず２０４を１段目に引き出し、りゅうず２０４を回転させることにより、センタークロノグラフ時計の時刻を、現在の時刻に合わせ、りゅうず２０４を０段目に押しこむ。この状態で、時刻ロータ（Ｂ）４８６が回転し、時刻ロータ（Ｂ）４８６の回転に基づいて、時刻五番車（Ｂ）４２０が回転する。時刻五番車（Ｂ）４２０の回転に基づいて、小秒中間車（Ａ）４３２、小秒中間車（Ｂ）４３４の回転を介して小秒車４３６が回転する。小秒車４３６は、１分間に１回転するので、小秒車４３６に取付けられた小秒針４３８は、現在時刻のうちの「秒」を表示する。
【０１１２】
また、時刻五番車（Ｂ）４２０の回転に基づいて、センター用四番車４２１、センター用三番車４２２の回転を介してセンター用二番車４２４が回転する。センター用二番車４２４は、１時間に１回転するので、センター用二番車４２４のセンター用筒かな４２４ｂに取付けられた分針２３２は、現在時刻のうちの「分」を表示する。
さらに、センター用二番車４２４の回転に基づいて、日の裏車２２６の回転を介して筒車２２８が回転する。筒車２２８は、１２時間に１回転するので、筒車２２８に取付けられた時針２３４は、現在時刻のうちの「時」を表示する。
【０１１３】
次に、クロノグラフの計測の作動について説明する。図１３を参照すると、クロノグラフの計測をストップさせて、リセットした状態では、時クロノグラフ針４５９、分クロノグラフ針４５５、１／５秒クロノグラフ針４７５は、いずれも「零位置（初期位置）」にある。すなわち、リセットした状態では、時クロノグラフ針４５９、分クロノグラフ針４５５、１／５秒クロノグラフ針４７５は、いずれも「零」を示す位置にある。
【０１１４】
図９〜図１３を参照すると、スタートストップボタン２０６を押し、クロノグラフの計測をスタートさせると、クロノグラフ計測モードがスタートする。クロノグラフ計測モードにおいて、クロノ時分ロータ４６６が回転し、クロノ時分ロータ４６６の回転に基づいて、クロノ時分五番車４５０が回転する。そして、クロノ時分五番車２５０の回転に基づいて、分クロノ中間車（Ｃ）４５１および時クロノ中間車（Ａ）４５２が回転する。分クロノ中間車（Ｃ）４５１の回転に基づいて、分クロノ中間車（Ｄ）４５３の回転を介して分クロノグラフ車４５４が回転する。クロノグラフ計測モードにおいて、分クロノグラフ車４５４に取付けられた分クロノグラフ針４５５は、経過時間のうちの「分」を表示する。
また、時クロノ中間車（Ａ）４５２の回転に基づいて、時クロノ中間車（Ｂ）４５７の回転を介して時クロノグラフ車４５８が回転する。クロノグラフ計測モードにおいて、時クロノグラフ車４５８に取付けられた時クロノグラフ針４５９は、経過時間のうちの「時」を表示する。
【０１１５】
また、クロノグラフ計測モードにおいて、１／５秒ロータ４４６が回転し、１／５秒ロータ４４６の回転に基づいて、１／５ＣＧ中間車（Ａ）４７０が回転する。１／５ＣＧ中間車（Ａ）４７０の回転に基づいて、１／５ＣＧ中間車（Ｂ）４７２の回転を介して１／５ＣＧ車４７６が回転する。クロノグラフ計測モードにおいて、１／５ＣＧ車４７６に取付けられた１／５秒クロノグラフ針４７５は、経過時間のうちの「秒」を「１／５秒単位」で表示するように作動する。
【０１１６】
クロノグラフ計測モードにおいて、さらに、スタートストップボタン２０６を押すと、クロノグラフの計測をストップさせることができる。このクロノグラフ計測ストップ状態で、時クロノグラフ針４５９は、経過時間のうちの「時」を表示した状態で停止し、分クロノグラフ針４５５は、経過時間のうちの「分」を表示した状態で停止し、１／５秒クロノグラフ針４７５は、経過時間のうちの「秒」を「１／５秒単位」で表示した状態で停止する。
クロノグラフ計測ストップ状態で、リセットボタン２０８を押すと、時クロノグラフ針４５９、分クロノグラフ針４５５、１／５秒クロノグラフ針４７５は、いずれも「零」を示す位置に戻る（図８参照）。
【０１１７】
（３）他の実施の形態
次に、本発明の他の実施形態について説明する。
以下の説明は、主として、本発明の他の実施形態が、本発明の第１の実施形態と異なる点、および、本発明の第２の実施形態と異なる点について行う。したがって、以下に記載されている内容以外の箇所は、上述した本発明の第１の実施形態についての説明、および、上述した本発明の第２の実施形態についての説明をここに準用することとする。
【０１１８】
（３・１）サイドクロノグラフ時計のムーブメントの構成
前述したサイドクロノグラフ時計のムーブメント１００において、ムーブメント１００を構成する部品は、地板基準垂直軸線３０２に対して図１に示す構造になるように配置されるのが好ましいが、ムーブメントを構成する部品を、地板基準垂直軸線３０２に対して図１に示される構造とは鏡面対称の構造になるように配置されてもよい。
すなわち、図１および図１４を参照すると、ムーブメント１００において、サイド用時刻コイルブロック２４２のコイルブロック中心２４２ｃは、第３領域３３０に配置される。時刻ロータ（Ａ）２４６の回転中心、時刻五番車（Ａ）２２０の回転中心は、第３領域３３０に配置される。サイド用三番車２２２の回転中心は、第４領域３４０に配置される。日の裏車２２６の回転中心は、第２領域３２０に配置される。
クロノ分秒コイルブロック２６２のコイルブロック中心２６２ｃは、第３領域３３０に配置される。クロノ分秒ロータ２６６の回転中心、クロノ分秒五番車２５０の回転中心、秒クロノ中間車（Ａ）２５１の回転中心、分クロノ中間車（Ａ）２５２の回転中心、秒クロノ中間車（Ｂ）２５３の回転中心、分クロノ中間車（Ｂ）２５７の回転中心は、第３領域３３０に配置される。クロノ分秒コイルブロック２６２のコイルブロック中心２６２ｃは、第３領域３３０において、サイド用時刻コイルブロック２４２のコイルブロック中心２４２ｃより外側に配置される。クロノ分秒ロータ２６６の回転中心は、第３領域３３０において、時刻ロータ（Ａ）２４６の回転中心より外側に配置される。
【０１１９】
秒クロノグラフ車２５４の回転中心は、地板基準水平軸線３０４の上であって、地板中心３００と、ムーブメント１００の「６時方向」にある地板１０２の外形部３０６との間の位置にある。
また、分クロノグラフ車２５８の回転中心は、地板基準垂直軸線３０２の上であって、地板中心３００と、ムーブメント１００の「９時方向」にある地板１０２の外形部３０９との間の位置にある。
１／１０秒コイルブロック２８２のコイルブロック中心２８２ｃは、第４領域３４０に配置される。１／１０秒ロータ２８６の回転中心、１／１０秒五番車２７０の回転中心、１／１０秒クロノ中間車（Ａ）２７１の回転中心、１／１０秒クロノ中間車（Ｂ）２７２の回転中心は、第４領域３４０に配置される。
１／１０秒クロノグラフ車２７４の回転中心は、地板基準水平軸線３０４の上であって、地板中心３００と、ムーブメント１００の「１２時方向」にある地板１０２の外形部３１２との間の位置にある。
秒クロノグラフ車２５４の回転中心と地板中心３００との間の距離と、分クロノグラフ車２５８の回転中心と地板中心３００との間の距離と、１／１０秒クロノグラフ車２７４の回転中心と地板中心３００との間の距離は、全て等しい値になるように構成されている。
これに対して、図１５を参照すると、ムーブメント１００Ｄにおいて、時刻ロータ（Ａ）２４６の回転中心、時刻五番車（Ａ）２２０の回転中心を第４領域３４０に配置し、サイド用三番車２２２の回転中心を第３領域３３０に配置し、日の裏車２２６の回転中心を第１領域３１０に配置し、クロノ分秒ロータ２６６の回転中心、クロノ分秒五番車２５０の回転中心、秒クロノ中間車（Ａ）２５１の回転中心、分クロノ中間車（Ａ）２５２の回転中心、秒クロノ中間車（Ｂ）２５３の回転中心、分クロノ中間車（Ｂ）２５７の回転中心を第４領域３４０に配置し、１／１０秒ロータ２８６の回転中心、１／１０秒五番車２７０の回転中心、１／１０秒クロノ中間車（Ａ）２７１の回転中心、１／１０秒クロノ中間車（Ｂ）２７２の回転中心を第３領域３３０に配置するように構成してもよい。
【０１２０】
そして、ムーブメント１００Ｄにおいては、秒クロノグラフ車２５４の回転中心は、地板基準水平軸線３０４の上であって、地板中心３００と、ムーブメント１００の「１２時方向」にある地板１０２Ｄの外形部３１２との間の位置にあり、分クロノグラフ車２５８の回転中心は、地板基準垂直軸線３０２の上であって、地板中心３００と、ムーブメント１００Ｄの「９時方向」にある地板１０２Ｄの外形部３０９との間の位置にあり、１／１０秒クロノグラフ車２７４の回転中心は、地板基準水平軸線３０４の上であって、地板中心３００と、ムーブメント１００Ｄの「６時方向」にある地板１０２Ｄの外形部３０６との間の位置にある。
（３・２）センタークロノグラフ時計のムーブメントの構成
前述したセンタークロノグラフ時計のムーブメント４００において、ムーブメント４００を構成する部品は、地板基準垂直軸線３０２に対して図９に示す構造になるように配置されるのが好ましいが、ムーブメントを構成する部品を、地板基準垂直軸線３０２に対して図９に示される構造とは鏡面対称の構造になるように配置されてもよい。
すなわち、図９および図１６を参照すると、ムーブメント４００において、１／５秒コイルブロック４４２のコイルブロック中心４４２ｃは、第３領域３３０に配置される。１／５秒ロータ４４６の回転中心、１／５ＣＧ中間車（Ａ）４７０の回転中心、１／５ＣＧ中間車（Ｂ）４７２の回転中心は、第３領域３３０に配置される。日の裏車２２６の回転中心は、第２領域３２０に配置される。
クロノ時分コイルブロック４６２のコイルブロック中心４６２ｃは、第３領域３３０に配置される。クロノ時分ロータ４６６の回転中心、クロノ時分五番車４５０の回転中心、分クロノ中間車（Ｃ）４５１の回転中心、分クロノ中間車（Ｄ）４５３の回転中心、時クロノ中間車（Ａ）４５２の回転中心、時クロノ中間車（Ｂ）４５７の回転中心は、第３領域３３０に配置される。クロノ時分コイルブロック４６２のコイルブロック中心４６２ｃは、第３領域３３０において、１／５秒コイルブロック４４２のコイルブロック中心４４２ｃより外側に配置される。クロノ時分ロータ４６６の回転中心は、第３領域３３０において、１／５秒ロータ４４６の回転中心より外側に配置される。
【０１２１】
分クロノグラフ車４５４の回転中心は、地板基準水平軸線３０４の上であって、地板中心３００と、ムーブメント４００の「６時方向」にある地板１０２の外形部３０６との間の位置にある。
また、時クロノグラフ車４５８の回転中心は、地板基準垂直軸線３０２の上であって、地板中心３００と、ムーブメント４００の「９時方向」にある地板１０２の外形部３０９との間の位置にある。
【０１２２】
センター用時刻コイルブロック４８２のコイルブロック中心４８２ｃは、第４領域３４０に配置される。時刻ロータ（Ｂ）４８６の回転中心、時刻五番車（Ｂ）４２０の回転中心、小秒中間車（Ａ）４３２の回転中心、小秒中間車（Ｂ）４３４の回転中心、センター用四番車４２１の回転中心、センター用三番車４２２の回転中心、は、第４領域３４０に配置される。
【０１２３】
小秒車４３６の回転中心は、地板基準水平軸線３０４の上であって、地板中心３００と、ムーブメント４００の「１２時方向」にある地板１０２の外形部３１２との間の位置にある。
分クロノグラフ車４５４の回転中心と地板中心３００との間の距離と、時クロノグラフ車４５８の回転中心と地板中心３００との間の距離と、小秒車４３６の回転中心と地板中心３００との間の距離は、全て等しい値になるように構成されている。
これに対して、図１７を参照すると、ムーブメント４００Ｄにおいて、１／５秒ロータ４４６の回転中心、１／５ＣＧ中間車（Ａ）４７０の回転中心、１／５ＣＧ中間車（Ｂ）４７２の回転中心を第２領域３２０に配置し、日の裏車２２６の回転中心は第１領域３１０に配置され、クロノ時分ロータ４６６の回転中心、クロノ時分五番車４５０の回転中心、分クロノ中間車（Ｃ）４５１の回転中心、分クロノ中間車（Ｄ）４５３の回転中心、時クロノ中間車（Ａ）４５２の回転中心、時クロノ中間車（Ｂ）４５７の回転中心を第２領域３２０に配置し、時刻ロータ（Ｂ）４８６の回転中心、時刻五番車（Ｂ）４２０の回転中心、小秒中間車（Ａ）４３２の回転中心、小秒中間車（Ｂ）４３４の回転中心、センター用四番車４２１の回転中心、センター用三番車４２２の回転中心を第３領域３３０に配置するように構成してもよい。
【０１２４】
ムーブメント４００Ｄにおいて、分クロノグラフ車４５４の回転中心は、地板基準水平軸線３０４の上であって、地板中心３００と、ムーブメント４００Ｄの「１２時方向」にある地板１０２Ｄの外形部３１２との間の位置にあり、時クロノグラフ車４５８の回転中心は、地板基準垂直軸線３０２の上であって、地板中心３００と、ムーブメント４００Ｄの「９時方向」にある地板１０２Ｄの外形部３０９との間の位置にあり、小秒車４３６の回転中心は、地板基準水平軸線３０４の上であって、地板中心３００と、ムーブメント４００Ｄの「１２時方向」にある地板１０２Ｄの外形部３１２との間の位置にある。
【図面の簡単な説明】
【図１】図１は、本発明のクロノグラフ時計の実施形態において、サイドクロノグラフ時計のムーブメントを表側から見た概略形状を示す平面図である（図１では、一部の部品の図示を省略し、受部材は仮想線で示している）。
【図２】図２は、本発明のクロノグラフ時計の実施形態において、サイドクロノグラフ時計のムーブメントのモータおよび輪列の一部分を示す概略部分断面図である。
【図３】図３は、本発明のクロノグラフ時計の実施形態において、サイドクロノグラフ時計のムーブメントの電池および輪列の一部分を示す概略部分断面図である。
【図４】図４は、本発明のクロノグラフ時計の実施形態において、地板を表側から見た概略形状を示す平面図である（図４では、地板の一部の形状の図示を省略している）。
【図５】図５は、本発明のクロノグラフ時計の実施形態において、輪列受（Ａ）、輪列受（Ｂ）を表側から見た概略形状を示す平面図である（図５では、輪列受（Ａ）、輪列受（Ｂ）の一部の形状の図示を省略している）。
【図６】図６は、本発明のクロノグラフ時計の実施形態において、裏輪列受を裏側（地板のある側）から見た概略形状を示す平面図である（図６では、裏輪列受の一部の形状の図示を省略している）。
【図７】図７は、本発明のクロノグラフ時計の実施形態において、サイドクロノグラフ時計のムーブメントのモータおよび輪列のブロック図である。
【図８】図８は、本発明のクロノグラフ時計の実施形態において、サイドクロノグラフ時計のコンプリ−トの概略形状を示す平面図である。
【図９】図９は、本発明のクロノグラフ時計の実施形態において、センタークロノグラフ時計のムーブメントを表側から見た概略形状を示す平面図である（図９では、一部の部品を省略している）。
【図１０】図１０は、本発明のクロノグラフ時計の実施形態において、センタークロノグラフ時計のムーブメントのモータおよび輪列の一部分を示す概略部分断面図である。
【図１１】図９は、本発明のクロノグラフ時計の実施形態において、センタークロノグラフ時計のムーブメントの電池および輪列の一部分を示す概略部分断面図である。
【図１２】図１０は、本発明のクロノグラフ時計の実施形態において、センタークロノグラフ時計のムーブメントのモータおよび輪列のブロック図である。
【図１３】図１３は、本発明のクロノグラフ時計の実施形態において、センタークロノグラフ時計のコンプリ−トの概略形状を示す平面図である。
【図１４】図１４は、本発明のクロノグラフ時計の実施形態において、サイドクロノグラフ時計のムーブメントにおけるモータおよび輪列の概略配置を示す平面図である（図１４では、一部の部品の図示を省略している）。
【図１５】図１５は、本発明のクロノグラフ時計の他の実施形態において、サイドクロノグラフ時計のムーブメントにおけるモータおよび輪列の概略配置を示す平面図である（図１５では、一部の部品の図示を省略している）。
【図１６】図１６は、本発明のクロノグラフ時計の実施形態において、センタークロノグラフ時計のムーブメントにおけるモータおよび輪列の概略配置を示す平面図である（図１６では、一部の部品の図示を省略している）。
【図１７】図１７は、本発明のクロノグラフ時計の他の実施形態において、センタークロノグラフ時計のムーブメントにおけるモータおよび輪列の概略配置を示す平面図である（図１７では、一部の部品の図示を省略している）。
【符号の説明】
１００　　ムーブメント
１０２　　地板
１０４　　文字板
１０６　　輪列受（Ａ）
１０７　　輪列受（Ｂ）
１０８　　裏輪列受
１１０　　巻真
１４０’　リセットレバー
１４０　　リセットレバー
２２０　　時刻五番車（Ａ）
２２２　　サイド用三番車
２２６　　日の裏車
２４２　　サイド用時刻コイルブロック
２４６　　時刻ロータ（Ａ）
２５０　　クロノ分秒五番車
２５１　　秒クロノ中間車（Ａ）
２５２　　分クロノ中間車（Ａ）
２５３　　秒クロノ中間車（Ｂ）
２５４　　秒クロノグラフ車
２５７　　分クロノ中間車（Ｂ）
２５８　　分クロノグラフ車
２６２　　クロノ分秒コイルブロック
２６６　　クロノ分秒ロータ
２７０　　１／１０秒五番車
２７１　　１／１０秒クロノ中間車（Ａ）
２７２　　１／１０秒クロノ中間車（Ｂ）
２７４　　１／１０秒クロノグラフ車
２８２　　１／１０秒コイルブロック
２８６　　１／１０秒ロータ
３００　　地板中心
３０２　　地板基準垂直軸線
３０４　　地板基準水平軸線
３１０　　第１領域
３２０　　第２領域
３３０　　第３領域
３４０　　第４領域
４００　　ムーブメント
４０２　　地板
４２０　　時刻五番車（Ｂ）
４２１　　センター用四番車
４２２　　センター用三番車
４３２　　小秒中間車（Ａ）
４３４　　小秒中間車（Ｂ）
４３６　　小秒車
４４０　　規正レバー
４４２　　１／５秒コイルブロック
４４６　　１／５秒ロータ
４５１　　分クロノ中間車（Ｃ）
４５２　　時クロノ中間車（Ａ）
４５３　　分クロノ中間車（Ｄ）
４５４　　分クロノグラフ車
４５７　　時クロノ中間車（Ｂ）
４５８　　時クロノグラフ車
４６２　　クロノ時分コイルブロック
４６６　　クロノ時分ロータ
４７０　　１／５ＣＧ中間車（Ａ）
４７２　　１／５ＣＧ中間車（Ｂ）
４８２　　センター用時刻コイルブロック
４８６　　時刻ロータ（Ｂ）
【図１】
2004020421.tif 000003
【図２】
2004020421.tif 000004
【図３】
2004020421.tif 000005
【図４】
2004020421.tif 000006
【図５】
2004020421.tif 000007
【図６】
2004020421.tif 000008
【図７】
2004020421.tif 000009
【図８】
2004020421.tif 000010
【図９】
2004020421.tif 000011
【図１０】
2004020421.tif 000012
【図１１】
2004020421.tif 000013
【図１２】
2004020421.tif 000014
【図１３】
2004020421.tif 000015
【図１４】
2004020421.tif 000016
【図１５】
2004020421.tif 000017
【図１６】
2004020421.tif 000018
【図１７】
2004020421.tif 000019